(57)【要約】  ディスクドライブスピンドルモータは、中心軸を含む流体軸受を有する。静止部材は、ハウジングに対して固定され、中心軸と同軸である。ステータはハウジングに対して固定される。回転可能部材は、静止部材に関して中心軸の周りを回転可能である。ロータは回転可能部材に支持され、ステータに磁気的に連結される。流体軸受は、静止部材と回転可能部材とを相互接続させ、潤滑流体によって離間される加工面を有する。潤滑流体は、少なくとも粘度指数１１０を有する合成エステルベース流体と、合成エステルベース流体の総重量に基づいて０．０１重量％〜５重量％の少なくとも１つのトリ−Ｃ６−Ｃ１４−リン酸アリールと、合成エステルベース流体の総重量に基づいて０．０１重量％〜５重量％の少なくとも１つのカルボジイミドとを含む。
2013543015.tif 000002
【特許請求の範囲】
【請求項１】
スピンドルモータであって、
静止部材と、
静止部材に対して回転可能な回転可能部材と、
静止部材および回転可能部材を相互接続させ、潤滑流体によって離間される加工面を有する流体軸受とを備え、潤滑流体は、
ａ）少なくとも粘度指数１１０を有する合成エステルベース流体と、
ｂ）潤滑流体の総重量に基づいて０．０１重量％〜５重量％の少なくとも１つのトリＣ６−Ｃ１４−リン酸アリールとを含み、アリール基の各々はＣ１−Ｃ１２−アルキル基から選択される１つ〜３つの同一または異なる置換基を有し、さらに、
ｃ）潤滑流体の総重量に基づいて０．０１重量％〜５重量％の少なくとも１つのカルボジイミドを含む、スピンドルモータ。
【請求項２】
合成エステルベース流体は、
式Ｉの化合物を含み、
【数１】
2013543015.tif 000008
ここでＲ１およびＲ２は同一であるかまたは異なり、鎖の第二炭素に結合したＣ１−Ｃ３−アルキルを任意に保持する直鎖Ｃ３−Ｃ１７−アルキル基を各々が表し、Ｚは、鎖の炭素に結合したＣ１−Ｃ３−アルキルを任意に保持する直鎖Ｃ３−Ｃ１０−アルキレン基であり、さらに、
式Ｉａの化合物を含み、
【数２】
2013543015.tif 000009
ここでＲ１およびＲ２は同一であるかまたは異なり、鎖の第二炭素に結合したＣ１−Ｃ３−アルキルを任意に保持する直鎖Ｃ３−Ｃ１７−アルキル基を各々が表し、Ｚは、鎖の炭素に結合したＣ１−Ｃ３−アルキルを任意に保持する直鎖Ｃ３−Ｃ１０−アルキレン基であり、
またはそれらの組合せを含む、請求項１に記載のスピンドルモータ。
【請求項３】
カルボジイミドは、ジ−アリール−カルボジイミドである、請求項１または２のいずれか１項に記載のスピンドルモータ。
【請求項４】
トリ−Ｃ６−Ｃ１４−リン酸アリール上のアリール基の各々は、Ｃ３−Ｃ６−アルキル基から選択される１つ〜３つの同一のまたは異なる置換基を有する、請求項３に記載のスピンドルモータ。
【請求項５】
トリ−Ｃ６−Ｃ１４−リン酸アリールは、リン酸トリクレシルである、請求項４に記載のスピンドルモータ。
【請求項６】
潤滑流体は、０℃において１５ｃｐ〜８０ｃｐの粘度を有する、請求項１〜５のいずれか１項に記載のスピンドルモータ。
【請求項７】
潤滑流体は、酸化防止剤、腐食防止剤、粘度指数調整剤、流動点降下剤、消泡剤、および導電性の非金属添加物からなるグループから選択される添加剤をさらに含む、請求項１〜６のいずれか１項に記載のスピンドルモータ。
【請求項８】
潤滑流体は、潤滑流体の総重量に基づいて０．０１重量％〜５重量％の少なくとも１つの酸化防止剤を含む、請求項１〜７のいずれか１項に記載のスピンドルモータ。
【請求項９】
潤滑流体は、潤滑流体の総重量に基づいて０．０１重量％〜５重量％の少なくとも１つの腐食防止剤を含む、請求項１〜８のいずれか１項に記載のスピンドルモータ。
【請求項１０】
潤滑流体は、潤滑流体の総重量に基づいて０．０１重量％〜５重量％の少なくとも１つの粘度指数調整剤を含む、請求項１〜９のいずれか１項に記載のスピンドルモータ。
【請求項１１】
潤滑流体は、潤滑流体の総重量に基づいて０．０１重量％〜５重量％の少なくとも１つの流動点降下剤を含む、請求項１〜１０のいずれか１項に記載のスピンドルモータ。
【請求項１２】
潤滑流体は、潤滑流体の総重量に基づいて０．０１重量％〜５重量％の少なくとも１つの消泡剤を含む、請求項１〜１１のいずれか１項に記載のスピンドルモータ。
【請求項１３】
潤滑流体は、さらにポリアルファオレフィンベース流体を含む、請求項１〜１２のいずれか１項に記載のスピンドルモータ。
【請求項１４】
合成エステルベース流体は、３−メチル−１，５−ペンタンジオール  ジ（ｎ−ヘキサノアート、３−メチル−１，５−ペンタン−ジオール  ジ（ｎ−ヘプタノアート）、３−メチル−１，５−ペンタンジオール  ジ（ｎ−オクタノアート）、３−メチル−１，５−ペンタンジオール  ジ（ｎ−ノナノアート）、および３−メチル−１，５−ペンタンジオール  ジ（ｎ−デカノアート）、３−メチル−１，５−ペンタンジオール  ジ（ｎ−ウンデカノアート）、３−メチル−１，５−ペンタンジオール  ジ（ｎ−ドデカン酸）、および３−メチル−１，５−ペンタンジオール  ジ（ｎ−トリデカノアート）、またはそれらの組合せを含む、請求項１〜１３のいずれか１項に記載のスピンドルモータ。
【請求項１５】
トリ−Ｃ６−Ｃ１４−リン酸アリールは、少なくとも１つのブチル化リン酸トリフェニルを含む、請求項１〜１４のいずれか１項に記載のスピンドルモータ。
【請求項１６】
少なくとも１つのブチル化リン酸トリフェニルは、総量で潤滑流体の０．１重量％〜４重量％存在する、請求項１〜１５のいずれか１項に記載のスピンドルモータ。
【請求項１７】
カルボジイミドは、総量で潤滑流体の０．１重量％〜３重量％存在する、請求項１〜１６のいずれか１項に記載のスピンドルモータ。
【請求項１８】
カルボジイミドは式（ＩＩ）の化合物から選択され、
Ｘ−Ｎ＝Ｃ＝Ｎ−Ｙ                 （ＩＩ）
ＸおよびＹは同一かまたは異なり、各々は、脂肪族基、脂環式基および芳香基であり得るかまたは含み得るＣ１−Ｃ２０−炭化水素残基を表す、請求項１〜１７のいずれか１項に記載のスピンドルモータ。
【請求項１９】
液体のリン酸アミン耐摩耗性添加剤をさらに備える、請求項１〜１８のいずれか１項に記載のスピンドルモータ。
【請求項２０】
潤滑流体であって、
ａ）少なくとも粘度指数１１０を有する合成エステルベース流体と、
ｂ）潤滑流体の総重量に基づいて０．０１重量％〜５重量％の少なくとも１つのトリ−Ｃ６−Ｃ１４−リン酸アリールとを備え、アリール基の各々はＣ１−Ｃ１２−アルキル基から選択される１つ〜３つの同一のまたは異なる置換基を有し、さらに、
ｃ）潤滑流体の総重量に基づいて０．０１重量％〜５重量％の少なくとも１つのカルボジイミドを備える、潤滑流体。
【発明の詳細な説明】
【発明の概要】
【課題を解決するための手段】
【０００１】
概要
開示されるスピンドルモータは、静止部材と、静止部材に対して回転可能な回転可能部材と、静止部材および回転可能部材を相互接続させ、潤滑流体によって離間される加工面を有する流体軸受とを含む。潤滑流体は、少なくとも粘度指数１１０を有する合成エステルベース流体と、潤滑流体の総重量に基づいて０．０１重量％〜５重量％の少なくとも１つのトリ−Ｃ６−Ｃ１４−リン酸アリールとを含み、アリール基の各々はＣ１−Ｃ１２−アルキル基から選択される１つ〜３つの同一または異なる置換基を有し、さらに、潤滑流体の総重量に基づいて０．０１重量％〜５重量％の少なくとも１つのカルボジイミドを含む。
【０００２】
静止部材と、静止部材に対して回転可能な回転可能部材と、静止部材および回転可能部材を相互接続させ、潤滑流体によって離間される加工面を有する流体軸受とを含む。潤滑流体は、少なくとも粘度指数１１０を有する合成エステルベース流体と、潤滑流体の総重量に基づいて０．０１重量％〜５重量％の少なくとも１つのリン酸トリアリールと、潤滑流体の総重量に基づいて０．０１重量％〜５重量％の少なくとも１つのカルボジイミドとを含むスピンドルモータも開示される。
【０００３】
少なくとも粘度指数１１０を有する合成エステルベース流体と、潤滑流体の総重量に基づいて０．０１重量％〜５重量％の少なくとも１つのトリ−Ｃ６−Ｃ１４−リン酸アリールとを含み、アリール基の各々はＣ１−Ｃ１２−アルキル基から選択される１つ〜３つの同一または異なる置換基を有し、さらに、潤滑流体の総重量に基づいて０．０１重量％〜５重量％の少なくとも１つのカルボジイミドを含む潤滑流体も開示される。
【０００４】
これらおよび様々な他の特徴および利点が以下の詳細な説明を読むと明らかとなるであろう。
【０００５】
図面の簡単な説明
開示は、添付図面に関する開示の様々な実施形態の以下の詳細な説明を考慮すると、より完全に理解され得る。
【図面の簡単な説明】
【０００６】
【図１】潤滑流体による流体力学的または静圧軸受スピンドルモータを含むディスクドライブデータ保存装置の上面図である。
【図２】流体軸受スピンドルモータの断面図である。
【図３】明確にするために部分的に除去された、図２の線３−３に沿った流体力学的スピンドルモータの断面図である。
【図４Ａ】実施例２の結果を示すグラフである。
【図４Ｂ】実施例２の結果を示すグラフである。
【図５】実施例３の結果を示すグラフである。
【発明を実施するための形態】
【０００７】
図は必ずしも縮尺通りではない。図で用いられる同じ数字は同じ構成要素を指す。しかしながら、所与の図で構成要素を参照するための数字の使用は、同じ数字が付される別の図中の構成要素を限定することを意図するものではないことが理解されるであろう。
【０００８】
詳細な説明
以下の説明では、この文書の一部を形成し、例示のためにいくつかの具体的な実施形態を示す添付の図面の組を参照する。本開示の範囲または精神から逸脱することなく他の実施形態が企図され、なされ得ることを理解すべきである。したがって、以下の詳細な説明は限定的な意味にとられるべきではない。
【０００９】
特に他に記載のない限り、明細書および請求項で用いられる特徴のサイズ、量、および物性を表わすすべての数字は「約」という用語によりすべての例において変更されると理解すべきである。したがって、特に反対の記載のない限り、上記の明細書および添付の請求項で述べる数値パラメータは、本明細書中に開示される教示を利用して当業者が得ようとする所望の性質に依存して変動することができる概算値である。
【００１０】
終点による数値範囲の記載は、その範囲内に包摂されるすべての数字を含み（たとえば、１〜５は、１、１．５、２、２．７５、３、３．８０、４、および５を含む）、その範囲内の一切の範囲を含む。
【００１１】
本明細書および添付の請求項で用いられる限りにおいて、内容がそうではないことを明示していない限り、「ａ」、「ａｎ」、および「ｔｈｅ」という単数形は複数の参照対象を有する実施形態を包含する。本明細書および添付の請求項で用いられる限りにおいて、「または」という用語は、内容がそうではないことを明示していない限り、「および／または」を含むその意味で一般的に用いられる。
【００１２】
「含む」、「含み」または「備える」もしくは「備え」などの同様の用語は、包含するが限定されないことを意味し、すなわち含んでいるが排他的ではないことを意味する。
【００１３】
ここで使用される限りにおいて、「合成エステル」という表現は、潤滑剤のベース流体（当該分野では機能性流体または動作流体とも呼ばれる）において採用されることが好適ないずれかのエステル化合物を指す。
【００１４】
ここで使用される限りにおいて、「合成エステルベース流体」という表現は、潤滑流体を配合するのに採用されるいずれかのかつすべての合成エステルを指す。したがって、当該表現は、潤滑流体の合成エステル成分が、単一のエステルまたは２つ以上の合成エステルの組合せから成るかどうかによって、単一の合成エステルまたは２つ以上の合成エステルの組合せを示し得る。
【００１５】
ここで使用される限りにおいて、「粘度指数」または「ＶＩ」という表現は、アメリカ自動車技術者協会（ＳＡＥ）によって設定される温度によるベース流体の動粘度の変化を示す、人為的に作成された指標を指す。特に他に記載のない限り、参照のために選択される温度は華氏１００°（Ｆ）（４０℃）および２１０°Ｆ（１００℃）である。
【００１６】
特に別記しない限り、「炭化水素」という表現は、直鎖または分鎖状であり得、１つ以上の環式基であり得るかまたは含み得る炭素および水素原子から成る部分を示す。一般に、かつ特に別記しない限り、炭化水素基は、飽和、部分的に不飽和、または芳香族であり得、飽和、部分的に不飽和、または芳香族であり得る下位部分を含み得る。一般に、かつ特に別記しない限り、「アルキル」とも称される飽和直鎖炭化水素部分または下位部分は、１個〜約２０個の炭素原子を有することができるが、「アルキル」とも称される飽和分鎖状炭化水素部分または下位部分、「環式」または「シクロアルケニル」とも称される飽和または部分的に不飽和の環式炭化水素部分または下位部分、および「アルケニル」もしくは「アルキニル」とも称される部分的に不飽和の直鎖または分鎖状炭化水素部分または下位部分は、約３個〜約２０個の炭素原子を有することができる。一般に、かつ特に別記しない限り、「アリール」とも称される芳香族炭化水素部分または下位部分は、約６個〜約１８個、つまり６個、１０個、１４個、または１８個の炭素原子を有することができる。
【００１７】
開示される潤滑流体組成を含む流体力学的または静圧軸受スピンドルモータをディスクドライブに適合させることができる。図１は、典型的なディスクドライブ１０の上面図である。ディスクドライブ１０は、ハウジングベース１２および上部カバー１４を含む。ハウジングベース１２は上部カバー１４と組合わされて密閉環境を形成し、密閉環境の外からの要素による汚染から内部の構成要素を保護する。
【００１８】
ディスクドライブ１０は、ディスククランプ１８によってスピンドルモータ（図示せず）上で回転するように搭載されたディスクパック１６をさらに含む。ディスクパック１６は、中心軸の周りを共回転するように搭載された複数の個々のディスクを含む。各ディスク表面は、ディスク表面と通信するようにディスクドライブ１０に搭載された、関連付けられたヘッド２０を有する。図１に示される例では、ヘッド２０は湾曲部２２に支持され、湾曲部２２はアクチュエータ本体２６のヘッド搭載アーム２４に取付けられる。図１に示されるアクチュエータは、回転可動コイルアクチュエータとして知られる種類であり、概ね２８に開示されるボイスコイルモータ（ＶＣＭ）を含む。ボイスコイルモータ２８は、その取付けられたヘッド２０によって旋回軸３０の周りにアクチュエータ本体２６を回転させ、弓状の経路３１に沿った所望のデータトラック上にヘッド２０を位置決めする。回転アクチュエータが図１に示されているが、スピンドルモータは、リニアアクチュエータなどの他の種類のアクチュエータを有するディスクドライブでも有用である。
【００１９】
図２は、流体軸受スピンドルモータ３２の断面図である。スピンドルモータ３２は、静止部材３４、ハブ３６、およびステータ３８を含む。図２に示される実施形態では、静止部材は、ナット４０およびワッシャー４２を介してベース１２に固定され取付けられたシャフトである。ハブ３６は、軸３４の周りを回転するように、流体軸受３７を介して軸３４と相互接続される。軸受３７は、径方向加工面４４および４６と、軸方向加工面４８および５０とを含む。軸３４は、潤滑流体６０を供給し、かつ軸受の加工面に沿って流体を循環させるのを補助する流体口５４，５６および５８を含む。潤滑流体６０は、既知のやり方で軸３４の内部に連結される流体源（図示せず）によって軸３４に供給される。
【００２０】
スピンドルモータ３２は、流体軸受３７の軸方向加工面４８および５０を形成するスラスト軸受４５をさらに含む。カウンタープレート６２が加工面４８を押圧して、流体軸受に軸方向安定性を与え、かつハブ３６をスピンドルモータ３２内に位置決めする。カウンタープレート６２とハブ３６との間にＯリング６４が設けられ、流体軸受を密閉する。密閉は、流体力学的流体６０がカウンタープレート６２とハブ３６との間に漏れることを防ぐ。
【００２１】
ハブ３６は、中心コア６５と、軸３４の周りを回転するようにディスクパック１６（図１に示す）を支持するディスク搬送部材６６とを含む。ディスクパック１６は、ディスククランプ１８（図１にも示す）によってディスク搬送部材６６上に保持される。永久磁石７０がハブ３６の外径に取付けられ、スピンドルモータ３２のためのロータとして作用する。コア６５は磁性材料で形成され、磁石７０のためのバックアイアンとして作用する。ロータ磁石７０は、一体の環状リングとして形成することができるかまたは、ハブ３６の周辺部の周りに離間された複数の個々のマグネットで形成することができる。ロータ磁石７０は磁化されて、１つ以上の磁極を形成する。
【００２２】
ステータ３８がベース１２に取付けられ、ステータ積層７２およびステータ巻線７４を含む。ステータ巻線７４は積層７２に取付けられる。ステータ巻線７４はロータ磁石７０から径方向に離間され、ロータ磁石７０とハブ３６とが中心軸８０の周りを回転することを可能とする。ステータ３８は、ボルト７８によってベースに固定される１つ以上のＣクランプ７６などの既知の方法によってベース１２に取付けられる。
【００２３】
ステータ巻線７４に印加されるコミュテーションパルスは、ロータ磁石７０と通信し、かつ軸受３７上で中心軸８０を中心としてハブ３６を回転させる回転磁界を生成する。コミュテーションパルスは、順次選択されたステータ巻線に向けられて、ロータマグネットを駆動しその速度を制御する、時間調節された分極選択ＤＣ電流パルスである。
【００２４】
図２に示される実施形態において、スピンドルモータ３２は、ステータ３８がハブ３６の下方の軸方向位置を有する「ハブ下」種類モータである。ステータ３８は、ステータ巻線７４が積層７２の内径表面８２（図３）に固定されるように、ハブ３６の外側にある径方向位置も有する。代替的な実施形態では、ステータは、ハブの下方に対向してハブ内に位置決めされる。ステータは、ハブの内部またはハブの外部にある径方向位置を有することができる。また、スピンドルモータは、図２に示されるように固定された軸または回転軸を有することができる。回転軸スピンドルモータでは、軸受は、回転軸と、回転軸と共軸の外側静止スリーブとの間に位置する。
【００２５】
図３は、明確にするために部分的に取除かれた、図２の線３−３に沿った流体軸受スピンドルモータ３２の断面図である。ステータ３８は、ロータ磁石７０および中心コア６５と共軸の積層７２およびステータ巻線７４を含む。ステータ巻線７４は、積層７２の歯の周りに巻き付けられる相巻線Ｗｌ、ＶＩ、Ｕｌ、Ｗ２、Ｖ２、およびＵ２を含む。相巻線は、中心軸８０に対して直角でありかつ交差するコイル軸を有するコイルで形成される。たとえば、相巻線Ｗｌは、中心軸８０に対して直角なコイル軸８３を有する。流体軸受３７の径方向加工面４４および４６は、軸３４の外径表面と中心コア６５の内径表面とによって形成される。径方向加工面４４および４６は、通常の動作時に間隙ｃを維持する潤滑流体６０によって離間される。
【００２６】
合成エステルベース流体
潤滑流体との関連において好適な合成エステルベース流体は、潤滑目的のための基油として好適なすべてのエステルを原則として含む。合成エステルベース流体は、単一の合成エステル、または同じもしくは異なる種類の２つ以上の合成エステルの組合せを含み得る。
【００２７】
実施形態において、好適な合成エステルベース流体は、モノアルコールおよびモノカルボン酸のエステル、ジオールまたはポリオールおよび同一のまたは異なるモノカルボン酸などのジエステルおよびポリエステル、同一のまたは異なるモノアルコールおよび同一のまたは異なる二塩基または多塩基カルボン酸のジエステルおよびポリエステル、ならびに同一のまたは異なるジオールまたはポリオールおよび同一のもしくは異なる二塩基または多塩基カルボン酸のポリエステルを含むことができる。
【００２８】
実施形態において、ベース流体は、少なくとも粘度指数１１０を示すことができる。実施形態において、高いＶＩを有する合成エステルベース流体を利用することができる。たとえばジカルボン酸およびポリオールエステルのジエーテルについては、ＶＩは典型的に約１１５または１２０〜２００の範囲である。
【００２９】
モノアルコールに由来した１つ以上の部分をエステルが含む実施形態では、モノアルコールを［たとえば式（ＣｎＨ２ｎ＋１）ＯＨの］飽和脂肪族アルコールとすることができる。実施形態において、そのようなアルコールは約３個〜約２０個の炭素原子を有することができる。アルコールの炭化水素部分は飽和させることができ、直鎖または分鎖状であり得る。アルコールは、１つ以上の飽和脂環式部分を形成するかまたは含むことができる。典型的な飽和脂肪族アルコールは、１−プロパノール、１−ブタノール、１−ペンタノール、１−ヘキサノール、１−ヘプタノール、１−オクタノール（カプリルアルコール）、１−ノナノール（ペラルゴンアルコール）、１−デカノール（カプリン酸アルコール）、１−ウンデカノール、１−ドデカノール（ラウリルアルコール）、１−トリデカノール、１−テトラデカノール（ミリスチルアルコール）、１−ペンタデカノール、１−ヘキサデカノール（セチルアルコール）、１−ヘプタデカノール等、ならびに水酸基が２−または３−位置にあり、かつ／または炭化水素鎖が１つもしくは２つのメチルおよび／またはエチル分岐を保持する、それらの分鎖状異性体を含むことができる。そのような分鎖状脂肪族アルコールの例示的な特定の例は、末端のＣＨ（ＣＨ３）２部分を有するイソ形態、およびＣ−Ｃ（ＣＨ３）２−Ｃ部分を含むネオ形態を含む。式Ｒ−０−（Ｚ１−０−）ｘＨによって表すことができるポリオキシアルキレンエーテルなどのモノアルコールも好適である。ここでＲは、直鎖状、分鎖状、または脂環式であり、脂環式セグメントまたは置換基を含み得る炭化水素を示す。ｘは整数、たとえば１〜５である。Ｚ１は、１，２−エチレン、１，２−プロピレン、１，３−プロピレン、１，２−ブチレン、２，３−ブチレン、１，３−ブチレン、１，４−ブチレンなどといった同一のまたは異なるＣ２−Ｃ４−アルキレン基を表す。また、（Ｚ１−０−）ｘ基は、１つもしくは２つの酸素と３つ、４つ、もしくは５つのカーボンリング部材とによって形成された五員環または六員環を表し得る。モノアルコールに由来した２つ以上の部分を含むエステルの場合には、それぞれのアルコール部分は同一であり得るかまたは異なり得る。
【００３０】
エステルがジオールおよびポリオールに由来した１つ以上の部分を含む場合、実施形態は、ジオールまたはポリオールが、特に約３個〜約２０個の炭素原子を有する飽和脂肪族アルコール［たとえば式（ＣｎＨ２ｎ−ｘ）（Ｃ（＝０）ＯＨ）２＋ｘ、ジオールの場合にはｘは０、ポリオールの場合にはｘ≧１、たとえば１、２または３］である合成エステルを利用することができる。実施形態において、ジオールおよびポリオールの水酸基は同じ炭素原子には結合されない。ジオールおよびポリオールは、直鎖または分鎖状であり得、１つ以上の飽和脂環式基を形成し得るかまたは含み得る。飽和脂肪族ジオールの例示的例は、１，３−プロピレングリコール、１，４−ブチレングリコール、１，５−ペンチレングリコール、１，６−ヘキシレングリコール、１，７−ヘプチレングリコール、１，８−オクチレングリコール、１，９−ノニレングリコール、１，１０−デシレングリコール、１，１１−ウンデシレングリコール、１，１２−ドデシレングリコール、１，１３−トリデシレン−グリコール、１，１４−テトラデシレングリコール、１，１５−ペンタデシレングリコール、１，１６−ヘキサデシレングリコール、１，１７−ヘプタデシレングリコール等、ならびに水酸基の一方または両方がアルキレン鎖の非末端の炭素原子に結合され、かつ／またはアルキレン鎖が、アルキレン鎖に沿ったいずれかの位置に結合された１つもしくは２つのメチルおよび／またはエチル分岐を保持するそれらの分鎖状異性体を含む。式Ｈ−０−（Ｚ１−０−）ｘＨによって表されるポリオキシアルキレングリコールなどのジオールも好適である。ｘは整数、たとえば１〜５であり、Ｚ１は１，２−エチレン、１，２−プロピレン、１，３−プロピレン、１，２−ブチレン、２，３−ブチレン、１，３−ブチレン、１，４−ブチレンなどといった同一のまたは異なるＣ２−Ｃ４−アルキレン基を表す。また、（Ｚ１−０）ｘ基は、１つもしくは２つの酸素と３つ、４つ、もしくは５つのカーボンリング部材とによって形成された五員環または六員環を表し得る。飽和脂肪族ポリオールの例示的例は、たとえばグリセリン、トリメチロールプロパンおよびペンタエリトリトールを含む。ジオールまたはポリオールに由来した２つ以上の部分を含むエステルの場合には、それぞれの部分は同一であり得るかまたは異なり得る。
【００３１】
エステルがモノカルボン酸に由来した１つ以上の部分を含む場合、実施形態は、モノカルボン酸が［たとえば式（ＣｎＨ２＋1Ｃ）Ｃ（＝０）ＯＨの］飽和脂肪酸、特に約３個〜約２０個の炭素原子を有する酸である合成エステルを利用することができる。そのような酸の炭化水素部分は飽和させることができ、直鎖または分鎖状であり得、１つ以上の飽和脂環式基を形成し得るかまたは含み得る。飽和脂肪酸の典型例は、プロパン酸、ブタン酸、ペンタン酸（吉草酸）、ヘキサン酸（カプロン酸）、ヘプタン酸（エナント酸）、オクタン酸（カプリル酸）、ノナン酸（ペラルゴンアルコール）、デカン酸（カプリン酸）、１−ウンデカン酸、ドデカン酸（ラウリン酸）、トリデカン酸、テトラデカン酸（ミリスチン酸）、ペンタデカン酸、ヘキサデカン酸（パルミチン酸）、ヘプタデカン酸、オクタデカン酸（ステアリン酸）、およびエイコサン酸（アラキン酸）、ならびにカルボキシル基が２−または３−位置にあり、かつ／または炭化水素部分が１つまたは２つのメチルおよび／またはエチル分岐を保持するそれらの分鎖状異性体を含む。そのような分鎖状脂肪族カルボン酸の例示的な典型例は、末端のＣΗ（ＣＨ３）２部分を有するイソ形態およびＣ−Ｃ（ＣＨ３）２−Ｃ部分を含むネオ形態を含む。モノカルボン酸に由来した２つ以上の部分を含むエステルの場合、それぞれの酸部分は同一であり得るかまたは異なり得る。
【００３２】
エステルがジカルボン酸およびポリカルボン酸に由来した１つ以上の部分を含む場合、実施形態は、ジカルボン酸またはポリカルボン酸が、飽和脂肪酸［たとえば式（ＣｎＨ２ｎ−ｘ）（Ｃ（＝０）ＯＨ）２＋ｘ、ジカルボン酸の場合にはｘは０、ポリカルボン酸の場合にはｘ≧１、たとえば１または２］、たとえば約３個〜約２０個の炭素原子を有するものである合成エステルを利用することができる。ジカルボン酸およびポリカルボン酸は、直鎖または分鎖状炭化水素部分を有し得、飽和脂環式部分を形成し得るかまたは含み得る。飽和脂肪族ジカルボン酸の例示的例は、１，３−プロパン二酸（マロン酸）、１，４−ブタン二酸（コハク酸）、１，５−ペンタン二酸（グルタル酸）、１，６−ヘキサン二酸（アジピン酸）、１，７−ヘプタン二酸（ピメリン酸）、１，８−オクタン二酸（スベリン酸）、１，９−ノナン二酸（アゼライン酸）、１，１０−デカン二酸（セバシン酸）、１，１１−ウンデカン二酸、１，１２−ドデカン二酸、１，１３−トリデカン二酸、１，１４−テトラ−デカン二酸、１，１５−ペンタデカン二酸、１，１６−ヘキサデカン二酸、１，１７−ヘプタデカン二酸等、ならびにカルボキシル基の一方もしくは両方がアルキレン鎖の非末端炭素原子に結合され、かつ／またはアルキレン鎖が、アルキレン鎖に沿ったいずれかの位置に結合された１つもしくは２つのメチルおよび／またはエチル分岐を保持するそれらの分鎖状異性体を含む。飽和脂肪族ポリカルボン酸の例示的例は、たとえば、ｏｘａｌｍａｌｏｎｉｃ酸、カルバリリック酸等を含む。ジカルボン酸またはポリカルボン酸に由来した２つ以上の部分を含むエステルの場合には、それぞれの部分は同一であり得るかまたは異なり得る。
【００３３】
実施形態において、合成エステルベース流体は、ジカルボン酸のジエステルおよびジオールの全エステルのグループから選択される少なくとも１つの合成エステルを含む。
【００３４】
実施形態において、合成エステルベース流体は、式（Ｉ）の１つ以上のエステルを含むことができる。
【００３５】
【数１】
2013543015.tif 000003
【００３６】
ここでＲ１およびＲ２は同一であるかまたは異なり、鎖の第二炭素に結合したＣ１−Ｃ３−アルキル分岐を任意に保持する直鎖Ｃ３−Ｃ１７−アルキル基を各々が表し、Ｚは、鎖の炭素に結合したＣ１−Ｃ３−アルキル分岐を任意に保持する直鎖Ｃ３−Ｃ１０−アルキレン基である。
【００３７】
実施形態において、式（Ｉ）のエステルは、すべての炭素原子がＲ１およびＲ２の最長の直鎖アルキル部分に存在し、Ｚの直鎖アルキレン部分中のすべての炭素原子が分岐のいずれの炭素原子も含めずにカウントすると、合計約１５個〜約３５個、約１５個〜約３３個、約１８個〜約３０個、約１８個〜約２８個の炭素原子を含むことができる。部分Ｚを見ると、これは、式−（ＣＨ２）２−ＣＨ（ＣＨ３）−（ＣＨ２）２−によって表される部分が５個の炭素原子に貢献し、式−ＣＨ２−ＣＨ（ＣＨ２ＣＨ３）−ＣＨ２−によって表される部分が３個の炭素原子に相当することを意味する。したがって、例として、Ｒ１およびＲ２の各々がｎ−ヘプチル基であり、Ｚが１，５−ペンチレン基である化合物（Ｉ）は、直鎖部分において合計（７＋７＋５）１９個の炭素原子を含み、Ｒ１およびＲ２の各々が２−オクタニル基（つまりＨ３Ｃ−（ＣＨ２）５−ＣＨ−（ＣＨ３）−）であり、Ｚが３−メチル−ｌ，５−ペンチレン基（つまり−（ＣＨ２）２−ＣＨ（ＣＨ３）−（ＣＨ２）２−）である化合物（Ｉ）も、直鎖部分において合計（７＋７＋５）１９個の炭素原子を含む。
【００３８】
実施形態において、Ｒ１およびＲ２の各々は、約６個〜約１４個の炭素原子を有する直鎖炭化水素部分を含み、直鎖炭化水素部分は、メチル、エチル、プロピル、またはイソプロピル分岐を任意に保持し、分岐は、基Ｒ１またはＲ２の最長の直鎖炭化水素が約１４個の炭素原子を超えないように位置する。
【００３９】
さらなる特定の実施形態では、Ｒ１およびＲ２の各々は、約６個〜約１４個の炭素原子を有する直鎖炭化水素部分を含み、直鎖炭化水素部分はメチルまたはエチル分岐を任意に保持し、分岐は、Ｒ１またはＲ２の最長の直鎖炭化水素が約１４個の炭素原子を超えないように位置する。
【００４０】
実施形態において、Ｒ１、Ｒ２およびＺに存在するすべての分岐の合計は、０、１または２である。この実施形態によれば、Ｚが２つの分岐を有する部分を表す場合、Ｒ１およびＲ２の各々は直鎖炭化水素基を表す。対応して、Ｚが１つの分岐を有する部分を表す場合、Ｒ１およびＲ２の炭化水素の一方が１つの分岐を保持し得るか、またはＲ１およびＲ２の各々が直鎖炭化水素基を表す。同様に、Ｚが分岐を有さない部分を表す場合、Ｒ１およびＲ２の炭化水素の一方が２つの分岐を保持し得るか、またはＲ１およびＲ２の炭化水素の一方または両方が１つの分岐を保持し得るか、またはＲ１およびＲ２の各々が直鎖炭化水素基を表す。実施形態において、部分Ｚは０または１つの分岐を保持する。実施形態において、Ｒ１およびＲ２の各々は、約６個〜約１４個の炭素原子を有する直鎖炭化水素部分から成る。実施形態において、式（Ｉ）のエステルのＲ１およびＲ２を同一とすることができる。実施形態において、合成エステルベース流体は、Ｒ１およびＲ２が互いに独立してｎ−Ｃ６−Ｃ１２−アルキルであり、Ｚがネオペンチレン（−ＣＨ２−Ｃ（ＣＨ３）２−ＣＨ２−）、１，５−ペンチレン（−（ＣＨ２）５−）または３−メチル−１，５−ペンチレン（−（ＣＨ２）２−ＣＨ（ＣＨ３）−（ＣＨ２）２−）である少なくとも１つの式（Ｉ）のエステルを含む。実施形態において、合成エステルベース流体は少なくとも２つの異なる合成エステルを含む。実施形態において、合成エステルベース流体は少なくとも２つの異なる合成エステルを含み、合成エステルの少なくとも１つは式（Ｉ）のものである。実施形態において、合成エステルベース流体は、３−メチル−１，５−ペンタンジオール  ジ（ｎ−ヘキサノアート）、３−メチル−１，５−ペンタンジオール  ジ（ｎ−ヘプタノアート）、３−メチル−１，５−ペンタンジオール  ジ（ｎ−オクタノアート）、３−メチル−１，５−ペンタンジオール  ジ（ｎ−ノナノアート）、および３−メチル−１，５−ペンタンジオール  ジ（ｎ−ドデカノアート）、３−メチル−１，５−ペンタンジオール  ジ（ｎ−ウンデカノアート）、３−メチル−１，５−ペンタンジオール  ジ（ｎ−ドデカン酸）、および３ーメチル−１，５−ペンタンジオール  ジ（ｎ−トリデカノアート）、およびそれらの組合せからなるグループから選択される合成エステルを含む。
【００４１】
実施形態において、合成エステルベース流体は、３−メチル−１，５−ペンタンジアールおよびｎ−ヘキサン酸およびｎ−ヘプタン酸から調製したジエステルの混合物、３−メチル−１，５−ペンタンジオールおよびｎ−ヘキサン酸およびｎ−オクタン酸から調製したジエステルの混合物、３−メチル−１，５−ペンタンジオールおよびｎ−ヘキサン酸およびｎ−ノナン酸から調製したジエステルの混合物、３−メチル−１，５−ペンタンジオールおよびｎ−ヘキサン酸およびｎ−デカン酸から調製したジエステルの混合物、３−メチル−１，５−ペンタンジオールおよびｎ−ヘプタン酸およびｎ−オクタン酸から調製したジエステルの混合物、３−メチル−１，５−ペンタンジオールおよびｎ−ヘプタン酸およびｎ−ノナン酸から調製したジエステルの混合物、３−メチル−１，５−ペンタンジオールおよびｎ−ヘプタン酸およびｎ−デカン酸から調製したジエステルの混合物、３−メチル−１，５−ペンタンジオールおよびｎ−オクタン酸およびｎ−ノナン酸から調製したジエステルの混合物、ならびに３−メチル−１，５−ペンタンジオールおよびｎ−オクタン酸およびｎ−デカン酸から調製したジエステルの混合物、またはこれらの合成エステル混合物の２つ以上の組合せからなるグループから選択される少なくとも１つの合成エステルを含む。
【００４２】
実施形態において、合成エステルベース流体は、式（Ｉａ）の１つ以上のエステルを含むことができる。
【００４３】
【数２】
2013543015.tif 000004
【００４４】
ここでＲ１およびＲ２は同一であるかまたは異なり、鎖の第二炭素に結合したＣ１−Ｃ３−アルキル分岐を任意に保持する直鎖Ｃ３−Ｃ１７−アルキル基を各々が表し、Ｚは、鎖の炭素に結合したＣ１−Ｃ３−アルキル分岐を任意に保持する直鎖Ｃ３−Ｃ１０−アルキレン基である。式Ｉａの化合物は、より具体的には、上記の式Ｉの化合物と同じ特徴を有することができる。
【００４５】
実施形態において、合成エステルベース流体は、式（Ｉ）または（Ｉａ）のエステル、セバシン酸ジオクチル（たとえば２−エチルヘキシルセバケート）、アジピン酸ジオクチル、アゼライン酸ジオクチルなどといった（直鎖または分鎖状）Ｃ６−Ｃ１３−アルコールを有する上記した直鎖Ｃ５−Ｃ１２−ジカルボン酸のエステル、（直鎖または分鎖状）Ｃ６−Ｃ１３ジアルコール（たとえば３−メチル１，５−ペンタンジオールジヘキサノアートまたは３−メチル１，５−ペンタンジオールジノナノアート）を有する上記した直鎖Ｃ５−Ｃ１２モノカルボン酸のエステル、トリメチロールプロパンのエステル、およびネオペンチルグリコールのエステルからなるグループから選択される少なくとも１つの合成エステルを含む。
【００４６】
中性リン酸エステル
開示される潤滑流体は、少なくとも１つの中性リン酸エステルも含む。潤滑流体は、単一の中性リン酸エステル、または２つ以上の中性リン酸エステルの組合せを含み得る。好適な中性リン酸エステルは、すべてのトリエステルリン酸塩（リン酸トリエステルとしても知られる）（Ｏ＝）Ｐ（ＯＲ）３を含むことができ、置換基「Ｒ」は同一のまたは異なる炭化水素基を表す。炭化水素基は一般に約１個〜約３０個、実施形態では約４個〜約１８個の炭素原子を有し、直鎖または分鎖状のアルキル、シクロアルキル、およびアリール部分であり得るかまたは含み得る。また、炭化水素基は１つ以上のハロゲン置換基を保持し得る。現在のところ、ハロゲン置換基はフッ素、塩素、および／または臭素置換基とすることができる。
【００４７】
一般に、置換基Ｒの各々は、１つ以上のハロゲン、Ｃ３−Ｃ１０−シクロアルキル、および／またはＣ６−Ｃ１４−アリール基によって任意に置換され、環式基がハロゲン、Ｃ１−Ｃ１０−アルキル、Ｃ３−Ｃ１０−シクロアルキル、およびＣ６−Ｃ１４−アリールからなるグループから選択される１つ〜３つの置換基をさらに保持し得る直鎖または分鎖状Ｃ１−Ｃ１８−アルキル；単環式または多環式であり得、１つ以上のハロゲン、Ｃ１−Ｃ１０−アルキル、Ｃ３−Ｃ１０−シクロアルキル、および／またはＣ６−Ｃ１４−アリール基によって任意に置換することができ、各アルキル基が１つ以上のハロゲン、Ｃ３−Ｃ１０−シクロアルキル、および／またはＣ６−Ｃ１４−アリール基によってさらに置換され得、環式基の各々がハロゲン、Ｃ１−Ｃ１０−アルキル、Ｃ３−Ｃ１０−シクロアルキルおよびＣ６−Ｃ１４−アリールからなるグループから選択される１つ〜３つの置換基をさらに保持し得るＣ３−Ｃ１０−シクロアルキル；フェニル、ナフチル、およびアントラセニルなどの単環式または多環式であり得、１つ以上のハロゲン、Ｃ１−Ｃ１０−アルキル、Ｃ３−Ｃ１０−（ｂｉ）シクロアルキル、および／またはＣ６−Ｃ１４−アリール基によって任意に置換することができ、各アルキル基が１つ以上のハロゲン、Ｃ３−Ｃ１０−シクロアルキル、および／またはＣ６−Ｃ１４−アリール基によってさらに置換され得、環式基の各々がハロゲン、Ｃ１−Ｃ１０−アルキル、Ｃ３−Ｃ１０−シクロアルキル、およびＣ６−Ｃ１４−アリールからなるグループから選択される１つ〜３つの置換基をさらに保持し得るＣ６−Ｃ１４−アリールを独立して表すことができる。
【００４８】
したがってリン酸トリエステルの例は、リン酸トリブチル（直鎖および分鎖状を含む）、リン酸トリペンチル（直鎖および分鎖状を含む）、リン酸トリヘキシル（直鎖および分鎖状を含む）、リン酸トリヘプチル（直鎖および分鎖状を含む）、リン酸トリオクチル（直鎖および分鎖状を含む）、リン酸トリノニル（直鎖および分鎖状を含む）、リン酸トリデシル（直鎖および分鎖状を含む）、リン酸トリウンデシル（直鎖および分鎖状を含む）、リン酸トリドデシル（直鎖および分鎖状を含む）、リン酸トリトリデシル（直鎖および分鎖状を含む）、リン酸トリテトラデシル（直鎖および分鎖状を含む）、リン酸トリペンタデシル（直鎖および分鎖状を含む）、リン酸トリヘキサデシル（直鎖および分鎖状を含む）、リン酸トリヘプタデシル（直鎖および分鎖状を含む）、リン酸トリオクタデシル（直鎖および分鎖状を含む）、および同一のまたは異なるアルキル基を有する同様のトリ（直鎖または分鎖状Ｃ４−Ｃ１８−アルキル）リン酸塩、リン酸トリシクロプロピル、リン酸トリシクロブチル、リン酸トリシクロペンチル、リン酸トリシクロヘキシル、リン酸トリシクロヘプチル、リン酸トリシクロオクチル、同様のトリ（Ｃ３−Ｃ８−シクロアルキル）リン酸塩、ならびに基Ｒの１つまたは２つがＣ４−Ｃ１８−アルキルを表し、別の基ＲがＣ３−Ｃ８−シクロアルキルを表す対応するリン酸塩、リン酸トリフェニル、リン酸トリクレシル、リン酸トリキシレニル、リン酸クレジルジフェニル、リン酸キシレニルジフェニル、リン酸トリス（トリブロモフェニル）、リン酸トリス（ジブロモフェニル）、リン酸トリス（２，４−ジ−ｔ−ブチルフェニル）、リン酸トリ（ノニルフェニル）、および同様のリン酸トリアリール、ならびに基Ｒの１つまたは２つがＣ４−Ｃ１８−アルキルを表し、別の基Ｒがアリールを表す対応するリン酸塩、および第１の基ＲがＣ４−Ｃ１８−アルキルを表し、第２の基ＲがＣ３−Ｃ８−シクロアルキルを表し、第３の基Ｒがアリールを表す対応するリン酸塩を含む。
【００４９】
実施形態において、中性リン酸エステルはリン酸トリアリールとすることができる。実施形態において、中性リン酸エステルは、アリール基の各々がハロゲンおよびＣ１−Ｃ１２−アルキル基から選択される１つ〜３つの同一のまたは異なる置換基を任意に保持するトリ−Ｃ６−Ｃ１４−リン酸アリールとすることができる。実施形態において、中性リン酸エステルは、アリール基の各々が１つ〜３つの同一のまたは異なるＣ１−Ｃ１２−アルキル基を任意に保持するトリ−Ｃ６−Ｃ１４−リン酸アリールとすることができる。実施形態において、中性リン酸エステルは、アリール基の各々が１つ〜３つの同一のまたは異なるＣ１−Ｃ８−アルキル基を任意に保持するトリ−Ｃ６−Ｃ１０−リン酸アリールとすることができる。実施形態において、中性リン酸エステルは、アリール基の各々が少なくとも１つのＣ１−Ｃ８−アルキル基を保持する、トリ−Ｃ６−Ｃ１０−リン酸アリールとすることができる。実施形態において、トリ−Ｃ６−Ｃ１０−リン酸アリール上のアリール基の各々がＣ３−Ｃ６−アルキル基から選択される１つ〜３つの同一のまたは異なる置換基を有する場合、中性リン酸エステルはリン酸トリアリールとすることができる。実施形態において、中性リン酸エステルは、フェニル環の各々がハロゲンおよびＣ１−Ｃ１２−アルキル基から選択される１つ〜３つの同一のまたは異なる置換基を任意に保持するリン酸トリフェニルとすることができる。実施形態において、中性リン酸エステルは、フェニル環の各々が１つ〜３つの同一のまたは異なるＣ１−Ｃ１２−アルキル基を任意に保持するリン酸トリフェニルとすることができる。実施形態において、中性リン酸エステルは、フェニル環の各々が１つ〜３つの同一のまたは異なるＣ１−Ｃ８−アルキル基を任意に保持するリン酸トリフェニルとすることができる。実施形態において、中性リン酸エステルは、フェニル環の各々が少なくとも１つのＣ１−Ｃ８−アルキル基を保持するリン酸トリフェニルとすることができる。実施形態において、中性リン酸エステルは、フェニル環の各々が少なくとも１つのＣ３−Ｃ６−アルキル基を保持するリン酸トリフェニルとすることができる。実施形態において、中性リン酸エステルは、フェニル環の各々が少なくとも１つの直鎖または分鎖状ブチル基を保持するリン酸トリフェニルとすることができる。
【００５０】
実施形態において、中性リン酸エステルは、リン酸アリールトリエステル、リン酸アルキルトリエステル、またはそれらの組合せを含むことができる。実施形態において、中性リン酸エステルは、トリ（ターシャリーブチルフェニル）リン酸塩などの）トリ（ブチル化フェニル）リン酸塩、リン酸トリフェニル、レゾルシノールモノ（リン酸ジフェニル）、レゾルシノールビス（リン酸ジフェニル）、またはそれらの組合せを含むことができる。そのようなリン酸エステルの典型的な市販の例は、ICL Industrial Products（ミズーリ州セントルイス）のリン酸エステルのＳｙｎ−Ｏ−Ａｄ（登録商標）ライン（添加剤のＳｙｎ−Ｏ−Ａｄ（登録商標）シリーズのすべてを含む）である。
【００５１】
潤滑流体に存在する中性リン酸エステルの全量は、広範囲に変動することができる。一般に、中性リン酸エステルは、潤滑流体の高圧金属接触特性および摩擦特性を含む耐摩耗特性を向上させるのに有効な全量で採用される。有効量は、約０．０１〜約５．０重量％、または潤滑流体の総重量に基づいて約０．１〜約４重量％の範囲であり得る。中性リン酸エステルをより多い量で添加してもよい。しかし一般に、量が増えても、スピンドルモータに対する潤滑流体の適合性はさらに向上しないため、不経済となり得る。中性リン酸エステル単独、または任意に１つ以上の他の耐摩耗性添加剤と組合わせた量が潤滑流体に耐摩耗特性を伝えるのに十分である限り、中性リン酸エステルをより少ない量で使用することも可能である。
【００５２】
潤滑流体で使用するのに好適な他の耐摩耗性添加剤は、たとえば、ジアルキルジチオリン酸塩、二硫化および多硫化アルキルおよびアリール、ジチオカルバマート、アルキルリン酸の塩、モリブデン複合体、中性リン酸エステル、およびこれらの添加剤のうち２つまたは３つの組合せを含む。実施形態において、追加的な耐摩耗性添加剤は、ジアルキルジチオリン酸亜鉛、二硫化モリブデン、液体のリン酸アミン、たとえばリン酸ジブチル、リン酸ジオクチル、またはリン酸ジクレジル（Ciba Geigy社から市販されている）などのリン酸塩のアミン塩、および亜リン酸ジブチルまたは亜リン酸ジイソプロピルなどの酸亜リン酸塩のアミン塩；硫黄ベースの化合物、たとえば硫化油および脂肪、硫化ｏｌｄｉｅ酸、および同様の硫化脂肪酸、ジ−二硫化ベンジル、硫化オレフィンまたは二硫化ジアルキル；ジアルキルジチオリン酸亜鉛、ジアルキルジチオリン酸亜鉛、ジアルキルジチオリン酸モリブデン、ジアルキルジチオ炭酸モリブデンなどの有機金属化合物などを含むことができる。
【００５３】
カルボジイミド
開示される潤滑流体は、単一のカルボジイミド、または２つ以上のカルボジイミドの組合せを含み得る。好適なカルボジイミドは、少なくとも１つのカルボジイミド部分、−Ｎ＝Ｃ＝Ｎ−を分子に含むすべての化合物を含むことができる。
【００５４】
実施形態において、カルボジイミドは式（ＩＩ）のものである。
Ｘ−Ｎ＝Ｃ＝Ｎ−Ｙ          （ＩＩ）
ここでＸおよびＹは同一かまたは異なっており、各々が脂肪族基、脂環式基、および芳香基であり得るかまたは含み得るＣ１−Ｃ２０−炭化水素残基を表す。
【００５５】
一般に、置換基ＸおよびＹの各々は、１つ以上のハロゲン、Ｃ１−Ｃ１０−アルコキシ、Ｃ３−Ｃ１０−シクロアルキル、および／またはＣ６−Ｃ１４−アリール基によって任意に置換することができ、環式基がハロゲン、Ｃ１−Ｃ１０−アルキル、Ｃ１−Ｃ１０−アルコキシ、Ｃ３−Ｃ１０−シクロアルキル、およびＣ６−Ｃ１４−アリールからなるグループから選択される１つ〜３つの置換基をさらに保持し得る直鎖または分鎖状Ｃ１−Ｃ１８−アルキル；単環式または多環式であり得、かつ１つ以上のハロゲン、Ｃ１−Ｃ１０−アルキル、Ｃ１−Ｃ１０−アルキルオキシ、Ｃ３−Ｃ１０−シクロアルキル、および／またはＣ６−Ｃ１４−アリール基によって任意に置換することができ、各アルキル基が１つ以上のハロゲン、Ｃ１−Ｃ１０−アルキルオキシ、Ｃ３−Ｃ１０−シクロアルキル、またはＣ６−Ｃ１４−アリール基によってさらに置換され得、環式基の各々がハロゲン、Ｃ１−Ｃ１０−アルキル、Ｃ１−Ｃ１０−アルキルオキシ、Ｃ３−Ｃ１０−シクロアルキル、およびＣ６−Ｃ１４−アリールからなるグループから選択される１つ〜３つの置換基を保持し得るＣ３Ｃ１０−シクロアルキル；フェニル、ナフチル、およびアントラセニルなどの単環式または多環式であり得、１つ以上のハロゲン、Ｃ１−Ｃ１０−アルキル、Ｃ３−Ｃ１０−（ｂｉ）シクロアルキル、および／またはＣ６−Ｃ１４−アリール基によって任意に置換され、各アルキル基が１つ以上のハロゲン、Ｃ１−Ｃ１０−アルキルオキシ、Ｃ３−Ｃ１０−シクロアルキル、および／またはＣ６−Ｃ１４−アリール基によってさらに置換され得、環式基の各々がハロゲン、Ｃ１−Ｃ１０−アルキル、Ｃ１−Ｃ１０−アルキルオキシ、Ｃ３−Ｃ１０−シクロアルキル、およびＣ６−Ｃ１４−アリールからなるグループから選択される１つ〜３つの置換基をさらに保持し得るＣ６−Ｃ１４−アリールを独立して表すことができる。
【００５６】
実施形態において、ＸおよびＹは同一であるかまたは異なることができ、環式部分が１つ、２つまたは３つの同一のまたは異なる置換基を任意に保持するＣ１−Ｃ１２−アルキル、Ｃ３−Ｃ８−シクロアルキル、Ｃ６−Ｃ１４−アリール、またはＣ６−Ｃ１４−アリール−Ｃ１−Ｃ４−アルキル基を各々表すことができる。
【００５７】
ＸおよびＹは、たとえば、メチル、エチル、プロピル、イソプロピル、ブチル、イソブチル、ペンチル、２−メチルブチル、ヘキシル、ヘプチル、オクチル、２−エチルヘキシル、ノニル、デシル、ウンデシルドデシルなどといったアルキル基、プロペニル、ブテニル、イソブテニル、ペンテニル、２−エチルヘキセニル、オクテニルなどといったアルケニル基、シクロペンチル、シクロヘキシル、メチルシクロペンチル、エチルシクロペンチルなどといったシクロアルキル基、フェニル、ナフチル、アントラセニルなどといったアリール基、アルキル置換アリール基、アルキル置換フェニル基、たとえばｔｏｌｕｙｌ、イソプロピルフェニル、ジイソプロピルフェニル、トリイソプロピルフェニル、ノニルフェニル等、ベンジル、フェネチルなどといったアラルキル基であり得るかまたは含み得る。
【００５８】
モノカルボジイミドの例は、ジ−イソプロピル−カルボジイミド、ジ−ｎ−ブチル−カルボジイミド、メチル−ｔｅｒｔ−ブチル−カルボジイミド、ジシクロヘキシル−カルボジイミド、ジフェニル−カルボジイミド、ジ−ｐ−トリル−カルボジイミド、４，４′−ジドデシル−ジフェニル−カルボジイミド、２，２′−ジエチル−ジ−フェニル−カルボジイミド、２，２′−ジ−イソプロピル−ジフェニル−カルボジイミド、２，２′−ジエトキシ−ジフェニル−カルボジイミド、２，６，２′，６′−テトラ−エチル−ジフェニル−カルボジイミド、２，６，２′，６′−テトライソプロピル−ジ−フェニル−カルボジイミド、２，６，２′，６′−テトラエチル−３，３′−ジクロロ−ジ−フェニル−カルボジイミド、２，２′−ジエチル−６，６′−ジクロロ−ジフェニル−カルボジイミド、２，６，２′，６′−テトラ−イソブチル−３，３′−ジニトロ−ジフェニル−カルボジイミド、および２，４，６，２′，４′，６′−ヘキサイソプロピル−ジフェニル−カルボジイミドである。
【００５９】
好適なカルボジイミドは、たとえば、テトラメチレン−ｗ，ｗ′−ビス−（ｔｅｒｔ−ブチル−カルボジイミド）、ヘキサメチレン−ｗ，ｗ′−ビス−（ｔｅｒｔ−ブチル−カルボジイミド）、テトラメチレン−ｗ，ｗ′−ビス−（フェニル−カルボジイミド）などのポリカルボジイミド、および米国特許第３，５０２，７２２号のプロセスにしたがって、少なくとも１２０°の温度で、第三アミン、基本的に反応性の金属化合物、カルボン酸金属塩、または非反応性の有機金属化合物の存在下で、１，３−ジ−イソプロピル−フェニレン−２，４−ジ−イソ−シアナート、１−メチル−３，５−ジエチル−フェニレン−２，４−ジイソシアナート、および３，５，３′，５′−テトラ−イソプロピルジフェニルｘｎｅｔｈａｎｅ−４，４−ジ−イソシアナートなどの芳香族ポリイソシアナートを熱することによって得られ得る化合物も含むことができる。
【００６０】
実施形態において、ＸおよびＹは同一であるかまたは異なり、各々が少なくとも１つのＣ６−Ｃ１４−アリール基であるかまたは含むことができる。実施形態において、ＸおよびＹは同一であるかまたは異なることができ、各々が少なくとも１つのＣ６−Ｃ１４−アリール基であるかまたは含むことができ、カルボジイミド基−Ｎ＝Ｃ＝Ｎ−はアリール炭素原子に直接結合される。実施形態において、ＸおよびＹは同一であるかまたは異なることができ、各々が少なくとも１つのＣ６−Ｃ１４−アリール基であるかまたは含むことができ、カルボジイミド部分−Ｎ＝Ｃ＝Ｎ−はアリール炭素原子に直接結合され、直接結合されたアリール基はさらに、少なくとも１つの置換基をカルボジイミド部分に対してオルト位に保持する。実施形態において、ＸおよびＹは同一であるかまたは異なることができ、各々が少なくとも１つのＣ６−Ｃ１４−アリール基であるかまたは含むことができ、カルボジイミド部分−Ｎ＝Ｃ＝Ｎ−はアリール炭素原子に直接結合され、直接結合されたアリール基はさらに、少なくとも２つの置換基をカルボジイミド部分に対してオルト位に保持し、オルト置換基は、互いに独立に、少なくとも３個の炭素原子を有する分鎖状または環式脂肪族基である。実施形態において、ＸおよびＹは同一であるかまたは異なることができ、各々が少なくとも１つのＣ６−Ｃ１４−アリール基であるかまたは含むことができ、カルボジイミド部分−Ｎ＝Ｃ＝Ｎ−はアリール炭素原子に直接結合され、直接結合されたアリール基はさらに、少なくとも２つまたは３つの置換基をカルボジイミド部分に対してオルト位またはオルト位およびパラ位に保持する。実施形態において、ＸおよびＹは同一であるかまたは異なることができ、各々が少なくとも１つのＣ６−Ｃ１４−アリール基であるかまたは含むことができ、カルボジイミド部分−Ｎ＝Ｃ＝Ｎ−はアリール炭素原子に直接結合され、直接結合されたアリール基はさらに、少なくとも２つまたは３つの置換基をカルボジイミド部分に対してオルト位またはオルト位およびパラ位に保持し、置換基の少なくとも１つは、分鎖状Ｃ３−Ｃ６−アルキルまたはＣ３−Ｃ６−シクロアルキル基である。
【００６１】
実施形態において、カルボジイミドは、ジアリールカルボジイミド、置換ジアリールカルボジイミド、またはそれらの組合せを含むことができる。実施形態において、カルボジイミドは２，２′，２，２′−テトライソプロピルジフェニルカルボジイミドを含むことができる。ＡＤＤＩＴＩＮ（登録商標）ＲＣ８５００およびＳＴＡＢＡＸＯＬ（登録商標）１ＬＦは、Rhein Chemie Rheinau GmbH（ドイツ連邦共和国マンハイム）から入手可能な市販の置換ジアリールカルボジイミドである。
【００６２】
潤滑流体中に存在するカルボジイミドの全量は広範囲に変動することができる。一般に、カルボジイミドは、潤滑流体の構成要素の加水分解劣化を防ぐか、抑えるか、または十分に阻止するのに有効な全量で使用される。有効量は、潤滑流体の総重量に基づいて、０．０１〜５．０％、０．０５〜５％、または０．１〜３％の範囲であり得る。カルボジイミドをより多い量で添加してもよい。しかし多量になると、一般に、スピンドルモータのための潤滑流体の適合性をさらに向上させることはないため、不経済となり得る。潤滑流体の構成要素の加水分解劣化を防ぐか、抑えるか、または十分に阻止するのに有効な量である限り、カルボジイミドをより少ない量で添加してもよい。
【００６３】
さらなる添加剤
潤滑流体は、任意に酸化防止剤、腐食防止剤、粘度指数調整剤、流動点降下剤、消泡剤、金属洗浄剤、および導電性の非金属添加物などの１つ以上の添加剤を有効量含み得る。
【００６４】
好適な酸化防止剤は、アミンベースの酸化防止剤、フェノールベースの酸化防止剤、ジ（ｎ−ドデシル）チオジプロピオネート、ジ（ｎ−オクタデシル）チオジプロピオネートおよび同様のチオジプロピオネート、フェノチアジンおよび同様の硫黄ベースの化合物などといった、潤滑流体および／またはスピンドルモータの加工面の酸化を抑えるか、防ぐか、または減少させることができるすべての化合物を含むことができる。
【００６５】
実施形態において、潤滑流体は、少なくとも１つのアミンベースの酸化防止剤、または２つ以上のアミンベースの酸化防止剤の組合せを含むことができる。いずれかのアミンベースの酸化防止剤を利用することができる。実施形態において、アミンベースの酸化防止剤は、分子に硫黄を含有せず、約６個〜６０個、または約１０個〜４０個の炭素原子を有する化合物とすることができる。実施形態において、アミンベースの酸化防止剤をジアリールアミンからなるグループから選択することができ、アリール基は同一または異なっており、各々をハロゲンおよびＣ１−Ｃ１２−アルキル基からなるグループから選択される１つ、２つ、または３つの同一のまたは異なる置換基を任意に保持するＣ６−Ｃ１４−アリールとすることができる。実施形態において、アミンベースの酸化防止剤をジアリールアミンからなるグループから選択することができ、アリール基は同一または異なっており、各々を１つ、２つ、または３つの同一のまたは異なるＣ３−Ｃ１２−アルキル置換基を任意に保持するＣ６−Ｃ１４−アリールとすることができる。
【００６６】
例示的例は、ジフェニルアミン、モノブチル（直鎖および分鎖状を含む）ジフェニルアミン、モノペンチル（直鎖および分鎖状を含む）ジフェニルアミン、モノヘキシル（直鎖および分鎖状を含む）ジフェニルアミン、モノブチル（直鎖および分鎖状を含む）ジフェニルアミン、モノペンチル（直鎖および分鎖状を含む）ジフェニルアミン、および同様のモノアルキルジフェニルアミン、特にモノ（Ｃ４−Ｃ９−アルキル）ジフェニルアミン（つまり２つのベンゼン環のうち一方がアルキル基、特にＣ４−Ｃ９−アルキル基、つまりモノアルキル置換ジフェニルアミンとモノ置換されるジフェニルアミン）、ｐ，ｐ′−ジブチル（直鎖および分鎖状を含む）ジフェニルアミン、ｐ，ｐ′−ジペンチル（直鎖および分鎖状を含む）ジフェニルアミン、ｐ，ｐ′−ジヘキシル（直鎖および分鎖状を含む）ジフェニルアミン、ｐ，ｐ′−ジヘプチル（直鎖および分鎖状を含む）ジフェニルアミン、ｐ，ｐ′−ジオクチル（直鎖および分鎖状を含む）ジフェニルアミン、ｐ，ｐ−′ジノニル（直鎖および分鎖状を含む）ジフェニルアミン、および同様のジ（アルキルフェニル）アミン、特に、ｐ，ｐ′−ジ（Ｃ４−Ｃ９−アルキルフェニル）アミン（つまり、ベンゼン環の各々がアルキル基、特にＣ４−Ｃ９−アルキル基とモノ置換され、２つのアルキル基が同一であるジアルキル置換ジフェニルアミン）などのジフェニルアミン；ベンゼン環の一方上のアルキル基がベンゼン環の他方上のアルキル基とは異なるジ（モノＣ４−Ｃ９−アルキルフェニル）アミン；２つのベンゼン環の４つのアルキル基のうち少なくとも１つがアルキル基の残りとは異なるジ（ジ−Ｃ４−Ｃ９−アルキルフェニル）アミン；Ｎ−フェニル−ｌ−ナフチルアミン、Ｎ−フェニル−２−ナフチルアミン、４−オクチルフェニル−ｌ−ナフチルアミン、４−オクチルフェニル−２−ナフチルアミンなどといったナフチルアミン；ｐ−フェニレンジアミン、Ｎ−フェニル−Ｎ′−イソプロピル−ｐ−フェニレンジアミン、Ｎ−フェニル−Ｎ′−（ｌ，３−ジメチルブチル）−ｐ−フェニレンジアミンなどといったフェニレンジアミンを含むことができる。実施形態において、ｐ，ｐ′−ジオクチル（直鎖および分鎖状を含む）ジフェニルアミン、ｐ，ｐ′−ジノニル（直鎖および分鎖状を含む）ジフェニルアミン、およびＮ−フェニル−１−ナフチルアミンを利用することができる。
【００６７】
実施形態において、潤滑流体は、少なくとも２つの異なる種類の酸化防止剤を含むことができる。実施形態において、潤滑流体は、少なくとも１つのアミンベースの酸化防止剤と、異なる種類の少なくとも１つのさらなる酸化防止剤とを含むことができる。実施形態において、潤滑流体は、少なくとも１つのアミンベースの酸化防止剤と、少なくとも１つのフェノールベースの酸化防止剤とを含むことができる。実施形態において、単一のフェノールベースの酸化防止剤または２つ以上を利用することができる。実施形態において、いずれかのフェノールベースの酸化防止剤を利用することができる。実施形態において、フェノールベースの酸化防止剤を分子に硫黄原子を含有しない化合物とすることができる。実施形態において、フェノールベースの酸化防止剤は、約６個〜１００個の炭素原子、または約１０個〜８０個の炭素原子を有することができる。
【００６８】
実施形態において、フェノールベースの酸化防止剤は、たとえば２，６−ジ−ｔ−ブチルフェノール、２，６−ジ−ｔ−ブチル−ｐ−クレゾール、４，４′−メチレンビス（２，６−ジ−ｔ−ブチルフェノール）、４，４′−ブチリデンビス（３−メチル−６−ｔ−ブチルフェノール）、２，２′−メチレンビス（４−エチル−６−ｔ−ブチルフェノール）、２，２′−メチレンビス（４−メチル−６−ｔ−ブチルフェノール）、４，４′−イソプロピリデンビスフェノール、２，４−ジメチル−６−ｔ−ブチルフェノール、テトラキス［メチレン−３−（３，５−ジ−）−ｔ−ブチル−４−ヒドロキシフェニル）−プロピオナート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）−ベンゼン２，２′−ジヒドロキシ−３，３′−ジ（ａ−メチルシクロヘキシル）−５，５′−ジメチル−ジフェニルメタン、２，２′−イソブチリデンビス（４，６−ジメチルフェノール）、２，６−ビス（２′−ヒドロキシ−３′−ｔ−ブチル−５′−メチルベンジル）−４−メチルフェノール、１，１′−ビス（４−ヒドロキシフェニル）シクロヘキサン、２，５−ジ−ｔ−アミルヒドロキノン、２，５−ジ−ｔ−ブチルヒドロキノン、１，４−ジヒドロキシアントラキノン、３−ｔ−ブチル−４−ヒドロキシアニソール、２−ｔ−ブチル−４−ヒドロキシアニソール、２，４−ジベンゾイル−レゾルシノール、４−ｔ−ブチルカテコール、２，６−ｄｉ−ｔ−ブチル−４−エチルフェノール、２−ヒドロキシ−４−メトキシベンゾフェノン、２，４−ジヒドロキシベンゾフェノン、２，２′−ジヒドロキシ−４−メトキシベンゾフェノン、２，４，５−トリヒドロキシベンゾフェノン、ａ−トコフェロール、ビス［２−（２−ヒドロキシ−５−メチル−３−ｔ−ブチルベンジル）−４−メチル−６−ｔ−ブチルフェニル］テレフタラート、トリエチレングリコールビス［３−ｔ−ブチル−５−メチル−４−ヒドロキシフェニル）プロピオナート、１，６−ヘキサン−ジオール−ビス［３−（３，５−ジ−ｔ−ブチル−４−ヒドロキシフェニル）プロピオナート］から選択することができる。
【００６９】
実施形態において、フェノールベースの酸化防止剤は、２，６−ジ−ｔ−ブチル−ｐ−クレゾール、４，４′−メチレンビス（２，６−ジ−ｔ−ブチルフェノール）、２，６−ジ−ｔ−ブチル−４−エチルフェノール、またはそれらの組合せから選択することができる。
【００７０】
潤滑流体が１つ以上のフェノールベースの酸化防止剤と１つ以上のアミンベースの酸化防止剤との組合せを含む実施形態では、アミンベースの酸化防止剤に対するフェノールベースの酸化防止剤の比率は、広い範囲から好適に選択することができ、アミンベースの酸化防止剤（ＡＢＡ）に対するフェノールベースの酸化防止剤（ＰＢＡ）の重量比は、少なくとも約１（ＰＢＡ）：０．０５（ＡＢＡ）、最大１（ＰＢＡ）：２０（ＡＢＡ）とすることができる。実施形態において、当該比は、少なくとも約１（ＰＢＡ）：０．２（ＡＢＡ）、最大１（ＰＢＡ）：５（ＡＢＡ）であり得る。
【００７１】
少なくとも１つのアミンベースの酸化防止剤と少なくとも１つのフェノールベースの酸化防止剤とを含む酸化防止剤の組合せの例示的な実施形態は、２，６−ジ−ｔ−ブチル−ｐ−クレゾール、４，４′−メチレンビス（２，６−ジ−ｔ−ブチル−フェノール）、および２，６−ジ−ｔ−ブチル−４−エチルフェノールからなるグループから選択される１つ以上の部材、ｐ，ｐ′−ジオクチル（直鎖および分鎖状を含む）ジフェニルアミン、ｐ，ｐ′−ジノニル（直鎖および分鎖状を含む）ジフェニルアミン、およびＮ−フェニル−１−ナフチルアミンからなるグループから選択される１つ以上の部材、ならびにそれらの組合せを含む。
【００７２】
実施形態において、潤滑流体は、以下の組合せ：２，６−ジ−ｔ−ブチル−ｐ−クレゾールおよびｐ，ｐ′−ジオクチル（直鎖および分鎖状を含む）ジフェニルアミン；２，６−ジｔ−ブチル−ｐ−クレゾールおよびｐ，ｐ′−ジノニル（直鎖および分鎖状を含む）ジフェニルアミン；２，６−ジ−ｔ−ブチル−ｐ−クレゾールおよびＮ−フェニル−１−ナフチルアミン、−４，４′−メチレンビス（２，６−ジ−ｔ−ブチルフェノール）およびｐ，ｐ′−ジオクチル（直鎖および分鎖状を含む）ジフェニルアミン；４，４′−メチレンビス（２，６〜ジ−ｔ−ブチルフェノール）およびｐ，ｐ′−ジノニル（直鎖および分鎖状を含む）ジフェニルアミン；４，４′−メチレンビス（２，６−ジ−ｔ−ブチルフェノール）およびＮ−フェニル−１−ナフチルアミン；２，６−ジ−ｔ−ブチル−４−エチルフェノールおよびｐ，ｐ′−ジオクチル（直鎖および分鎖状を含む）ジフェニルアミン；２，６−ジ−ｔ−ブチル−４−エチルフェノールおよびｐ，ｐ′−ジノニル（直鎖および分鎖状を含む）ジフェニルアミン；ならびに２，６−ジ−ｔ−ブチル−４−エチルフェノールおよびＮ−フェニル−１−ナフチルアミンのうち、１つ以上を含むことができる。
【００７３】
実施形態において、潤滑流体は、以下の組合せ：４，４′−メチレンビス（２，６−ジ−ｔ−ブチルフェノール）およびｐ，ｐ′−ジオクチル（直鎖および分鎖状を含む）ジフェニルアミン；４，４′−メチレンビス（２，６−ジ−ｔ−ブチルフェノール）およびｐ，ｐ′−ジノニル（直鎖および分鎖状を含む）ジフェニルアミン；４，４′−メチレンビス（２，６−ジ−ｔ−ブチルフェノール）およびＮ−フェニル−１−ナフチルアミンのうち、１つ以上を含むことができる。
【００７４】
潤滑流体中に存在する酸化防止剤の全量は広範囲に変動することができる。一般に、酸化防止剤は、潤滑流体の構成要素の酸化的劣化を防ぐか、抑えるか、または十分に阻止するのに有効であり得る全量で使用される。有効量は、潤滑流体の総重量に基づいて、０．０１〜５．０％、０．０５〜５％、または０．１〜３％の範囲であり得る。カルボジイミドをより多い量で添加してもよい。しかし多量になると、一般に、スピンドルモータのための潤滑流体の適合性をさらに向上させることはないため、不経済となり得る。潤滑流体の構成要素の酸化的劣化を防ぐか、抑えるか、または十分に阻止するのに有効な量である限り、カルボジイミドをより少ない量で添加してもよい。
【００７５】
潤滑流体は、任意に腐食防止剤も含み得る。好適な腐食防止剤（金属洗浄剤、金属不動態化剤、さび止め剤）は、スピンドルモータの加工面の腐食を抑えるか、防ぐか、または減少させる、スルホン酸塩、ヒドロカルビルアミン、カルボン酸誘導体、イミダゾリン、チア（ジア）ゾール、（ベンゾ）トリアゾール、およびリン酸アミンなどの化合物を含むことができる。
【００７６】
実施形態において、潤滑流体は、少なくとも９個の炭素原子を有する炭化水素基またはその塩を含む少なくとも１つの天然または合成硫酸塩を含むことができる。実施形態において、潤滑流体は、少なくとも９個の炭素原子を有する炭化水素基を含む天然または合成硫酸塩の少なくとも１つの塩を含むことができる。
【００７７】
実施形態において、潤滑流体は、少なくとも１つの石油スルホン酸カルシウム、過塩素化石油スルホン酸カルシウム、アルキルベンゼンスルホン酸カルシウム、過塩素化アルキルベンゼンスルホン酸カルシウム、アルキルベンゼンスルホン酸バリウム、過塩素化アルキルベンゼンスルホン酸バリウム、アルキルベンゼンスルホン酸マグネシウム、過塩素化アルキルベンゼンスルホン酸マグネシウム、アルキルベンゼンスルホン酸ナトリウム、過塩素化アルキルベンゼンスルホン酸ナトリウム、アルキルナフタレンスルホン酸カルシウム、過塩素化アルキルナフタレンスルホン酸カルシウム、または同様のスルホン酸金属；フェナートカルシウム、過塩素化フェナートカルシウム、フェナートバリウム、過塩素化フェナートバリウム、または同様の金属フェナート；サリチル酸カルシウム、過塩素化サリチル酸カルシウム、または同様のサリチル酸金属、ホスホン酸カルシウム、過塩素化ホスホン酸カルシウム、ホスホン酸バリウム、過塩素化ホスホン酸バリウム、または同様のホスホン酸金属；過塩素化カルボン酸カルシウムなどを含むことができる。実施形態において、潤滑流体は、少なくとも１つの石油スルホン酸カルシウム、アルキルベンゼンスルホン酸カルシウム、アルキルベンゼンスルホン酸バリウム、アルキルベンゼンスルホン酸マグネシウム、アルキルベンゼンスルホン酸ナトリウム、アルキルベンゼンスルホン酸亜鉛、アルキルナフタレンスルホン酸カルシウム、または同様のスルホン酸金属を含むことができる。
【００７８】
実施形態において、潤滑流体は、エチルアミン、ジエチルアミン、トリエチルアミン、各々が個別に１個〜２０個の炭素原子を有する１つ、２つまたは３つのアルキル置換基を有する第１、第２、または第３アミン、フェニレンジアミン、シクロヘキシルアミン、モルホリン、エチレンジアミン、トリエチレンテトラミン、テトラエチレンペンタミンなどといった少なくとも１つの炭化水素置換アミンを含むことができる。実施形態において、潤滑流体は、炭化水素置換アミンの少なくとも１つの塩を含むことができる。実施形態において、潤滑流体は、ロジンアミン、Ｎ−オレイルサルコシン、および同様のアミンのうち少なくとも１つを含むことができる。
【００７９】
実施形態において、潤滑流体は、少なくとも７個の炭素原子を有する炭化水素基を含む少なくとも１つのカルボン酸またはカルボン酸塩を含むことができる。実施形態において、カルボン酸またはその塩は、１０個〜２２個の炭素原子または１４個〜１８個の炭素原子を有する炭化水素基を含むことができる。特定の例は、ｎ−ドデカン酸、ｎ−トリデカン酸、ｎ−テトラデカン酸、ｎ−ペンタデカン酸、ｎ−ヘキサデカン酸、ｎ−ヘプタデカン酸、ｎ−オクタデカン酸、ｎ−ノナデカン酸、ｎ−イコサン酸、およびｎ−ドコサン酸、オレイン酸などを含む。実施形態において、ｎ−テトラデカン酸、ｎ−ヘキサデカン酸、およびｎ−オクタデカン酸を利用することができる。実施形態において、潤滑流体は、少なくとも１つのドデセニルコハク酸ハーフエステル、オクタデセニルコハク酸無水物、ドデセニルコハク酸アミド、または同様のアルキルもしくはアルケニルコハク酸誘導体；ソルビタンモノオレアート、グリセリンモノオレアート、ペンタエリトリトールモノオレアート、または多価アルコールの同様の部分エステルを含むことができる。
【００８０】
実施形態において、カルボン酸誘導体は、没食子酸ベースの化合物とすることができる。没食子酸ベースの化合物の例は、７個〜３０個の炭素原子または８個〜２０個の炭素原子を有するものを含む。特定の例は、没食子酸、没食子酸メチル、没食子酸エチル１０、没食子酸プロピル（直鎖および分鎖状を含む）、没食子酸ブチル（直鎖および分鎖状を含む）、没食子酸ペンチル（直鎖および分鎖状を含む）、没食子酸ヘキシル（直鎖および分鎖状を含む）、没食子酸ヘプチル（直鎖および分鎖状を含む）、没食子酸オクチル（直鎖および分鎖状を含む）、没食子酸ノニル（直鎖および分鎖状を含む）、没食子酸デシル（直鎖および分鎖状を含む）、没食子酸ウンデシル（直鎖および分鎖状を含む）、没食子酸ドデシル（直鎖および分鎖状を含む）、没食子酸トリデシル（直鎖および分鎖状を含む）、没食子酸テトラデシル（直鎖および分鎖状を含む）、没食子酸ペンタデシル（直鎖および分鎖状を含む）、没食子酸ヘキサデシル（直鎖および分鎖状を含む）、没食子酸ヘプタデシル（直鎖および分鎖状を含む）、没食子酸オクタデシル（直鎖および分鎖状を含む）、没食子酸ノナデシル（直鎖および分鎖状を含む）、没食子酸イコシル（直鎖および分鎖状を含む）、没食子酸ドコシル（直鎖および分鎖状を含む）、および同様の没食子酸の直鎖または分鎖状Ｃ１−Ｃ２２−アルキルエステル；ならびに没食子酸シクロヘキシル、没食子酸シクロペンチル、および同様の没食子酸のＣ４−Ｃ８−シクロアルキルエステルを含む。実施形態において、没食子酸（ｎ−プロピル）、没食子酸（ｎ−オクチル）、没食子酸（ｎ−ドデシル）、および同様の没食子酸の直鎖または分鎖状Ｃ３−Ｃ１２−アルキルエステルを利用することができる。
【００８１】
実施形態において、潤滑流体は、腐食防止剤として機能する少なくとも１つのイミダゾール、チア（ジア）ゾール、または（ベンゾ）トリアゾールベースの化合物を含むことができる。本質的に、いずれかの腐食防止イミダゾール、チア（ジア）ゾール、または（ベンゾ）トリアゾールベースの化合物を好適とすることができる。実施形態において、腐食防止剤は分子に硫黄を有さないトリアゾールベースの化合物とすることができる。実施形態において、トリアゾールベースの化合物は、たとえば６個〜６０個の炭素原子または６個〜４０個の炭素原子を有するベンゾトリアゾールとすることができる。例示的例は、ベンゾトリアゾール、５−メチル−１Ｈ−ベンゾ−トリアゾール、１−ジオクチルアミノメチルベンゾトリアゾール、ｌ−ジオクチルアミノメチル−５−メチルベンゾトリアゾール、２−（５′−メチル−２′−ヒドロキシフェニル）ベンゾトリアゾール、２−［２′−ヒドロキシ−３′，５′−ビス（ａ，ａ−ジメチルベンジル）フェニル］−２Ｈ−ベンゾトリアゾール、２−（３′，５′−ジ−ｔ−ブチル−２′−ヒドロキシフェニル）ベンゾトリアゾール、２−（３′−ｔ−ブチル−５′−メチル−２′−ヒドロキシフェニル）−５−クロロベンゾトリアゾール、２−（３，５′−ジ−ｔ−ブチル−２′−ヒドロキシフェニル）−５−クロロベンゾトリアゾール、２−（３′，５′−ジ−ｔ−アミル−２′−ヒドロキシフェニル）ベンゾトリアゾール、２−（５′−ｔ−ブチル−２′−ヒドロキシフェニル）ベンゾトリアゾール、２−（２−ヒドロキシ−５′−メチルフェニル）ベンゾトリアゾール、２−（２′−ヒドロキシ−５′−ｔ−（オクチルフェニル）ベンゾトリアゾール、２−［２′−ヒドロキシ−３′−（３″，４″−５″，６″テトラヒドロフタライドメチル）−５′−メチルフェニル］ベンゾトリアゾールなどを含む。実施形態において、潤滑流体は、ベンゾトリアゾールおよび／または５−メチル−ｌＨ−ベンゾトリアゾールを含むことができる。
【００８２】
一般に、潤滑流体は、単一の腐食防止剤、または同じもしくは異なる種類の２つ以上の腐食防止剤の組合せを含み得る。潤滑流体中に存在する腐食防止剤の全量は、広範囲に変動することができる。一般に、腐食防止剤は、加工面の腐食を防ぐか、抑えるか、または十分に阻止するのに有効となり得る量で使用することができる。有効量は、潤滑流体の総重量に基づいて、重量で０．０１〜５．０％、０．０５〜５％、または０．１〜３％の範囲であり得る。腐食防止剤をより多い量で添加してもよい。しかし多量になると、一般に、スピンドルモータのための潤滑流体の適合性をさらに向上させることはないため、不経済となり得る。スピンドルモータの加工面の腐食を防ぐか、抑えるか、または十分に阻止するのに有効な量である限り、腐食防止剤をより少ない量で添加してもよい。
【００８３】
開示される潤滑流体は、任意に１つ以上の粘度指数調整剤も含み得る。好適な粘度指数向上剤(粘度調整剤)は、高い温度で粘度を上昇させ、低い温度で最小粘度の寄与をもたらすすべての化合物、たとえば高分子化合物を含むことができる。粘度指数向上剤の例は、ポリアルキルメタクリレート、ポリアルキルスチレン、ポリブテン、エチレン−プロピレン共重合体、スチレン−ジエン共重合体、スチレン−無水マレイン酸エステル共重合体、および同様のオレフィン共重合体を含む。一般に、潤滑流体は、単一の粘度指数向上剤、または同じもしくは異なる種類の２つ以上の粘度指数向上剤の組合せを含み得る。
【００８４】
潤滑流体中に存在する粘度指数向上剤の全量は、広範囲に変動することができる。一般に、粘度指数向上剤は、高い温度で粘度を上昇させ、低い温度で最小粘度の寄与をもたらすのに有効となり得る量で使用することができる。有効量は、潤滑流体の総重量に基づいて、重量で０．０１〜５．０％、０．０５〜５％、または０．１〜３％の範囲であり得る。粘度指数向上剤をより多い量で添加してもよい。しかし多量になると、一般に、スピンドルモータのための潤滑流体の適合性をさらに向上させることはないため、不経済となり得る。高い温度で粘度を上昇させ、低い温度で最小粘度の寄与をもたらすのに有効な量である限り、粘度指数向上剤をより少ない量で添加してもよい。
【００８５】
開示される潤滑流体は、任意に流動点降下剤も含むことができる。好適な流動点降下剤（低温流動性向上剤、ワックス結晶調整剤）は、潤滑流体の低温流れ特性を向上させることができるすべての化合物、たとえば高分子化合物を含むことができる。好適な流動点降下剤の例は、塩素化パラフィンおよびアルキルナフタレンの凝縮液、塩素化パラフィンおよびフェノールの凝縮液、ならびに上記のような粘度指数向上剤としても作用し得るポリアルキルメタクリレート、ポリアルキルスチレン、ポリブテンなどを含む。一般に、潤滑流体は、単一の流動点降下剤、または同じもしくは異なる種類の２つ以上の流動点降下剤の組合せを含み得る。
【００８６】
潤滑流体中に存在する流動点降下剤の全量は、広範囲に変動することができる。一般に、流動点降下剤は、潤滑流体の低温流れ特性を向上させるのに有効となり得る量で使用することができる。有効量は、潤滑流体の総重量に基づいて、重量で０．０１〜５．０％、０．０５〜５％、または０．１〜３％の範囲であり得る。流動点降下剤をより多い量で添加してもよい。しかし多量になると、一般に、スピンドルモータのための潤滑流体の適合性をさらに向上させることはないため、不経済となり得る。必要な低温流れ特性をもたらすのに有効な量である限り、流動点降下剤をより少ない量で添加してもよい。
【００８７】
開示される潤滑流体は、任意に消泡剤も含むことができる。好適な消泡剤は、潤滑流体の泡形成の傾向を十分に抑えるか、防ぐか、または低減させることができる化合物をすべて含むことができる。好適な消泡剤の例は、ポリシロキサン、ペルフルオロポリエーテル、ポリアクリレート、および同様の有機ポリマーを含む。一般に、潤滑流体は、単一の消泡剤、または同じもしくは異なる種類の２つ以上の消泡剤の組合せを含み得る。
【００８８】
潤滑流体中に存在する消泡剤の全量は、広範囲に変動することができる。一般に、消泡剤は、潤滑流体の泡形成の傾向を十分に抑えるか、防ぐか、または低減させるのに有効となり得る量で使用することができる。有効量は、潤滑流体の総重量に基づいて、重量で０．０１〜５％、０．０５〜５％、または０．１〜３％の範囲であり得る。消泡剤をより多い量で添加してもよい。しかし多量になると、一般に、スピンドルモータのための潤滑流体の適合性をさらに向上させることはないため、不経済となり得る。潤滑流体の泡形成の傾向を十分に抑えるか、防ぐか、または低減させるのに有効な量である限り、消泡剤をより少ない量で添加してもよい。
【００８９】
開示される潤滑流体は、任意に導電性または非金属添加物も含むことができる。好適な導電性誘導および／または帯電防止剤は、潤滑流体を導電性とすることができるか、または静電荷の蓄積を減少させるもしくは防ぐことができる非金属化合物を含むことができる。この文脈での非金属とは、それらの微粒子の性質によってスピンドルモータの適切な機能に干渉し得るすべての金属および金属粒子を除外することを意図される。しかし、たとえばイオンの形態または複合形態で金属を含む化合物は非金属であると理解される。
【００９０】
導電性誘導および／または帯電防止剤は、たとえば、主要な分離成分がサリチル酸クロムジアルキルでありスルホコハク酸カルシウムジデシルによって安定化される、サリチル酸クロムジアルキルおよびスルホコハク酸カルシウムジデシルをメタクリル酸ラウリルおよびメチルビニルピリジンの共重合体に混合したもの、たとえばＳｈｅｌｌ社製のＡＳＡ−３；Ｎ−ｔａｌｌｏｗ−１，３−ジアミノプロパンおよびエピクロロヒドリン（３）の重合縮合生成物の芳香族溶媒溶液、たとえばＰｏｌｙｆｌｏｅ１３０；１−デケンポリスルホンおよび亜硝酸ジココジメチルアンモニウムのトルエン溶液；サリチル酸アルキル、スルホン酸塩、スクシンイミド、および他の極性添加剤のコロイド溶液；オレイン酸マグネシウム、ステアリン酸を有する硝酸ルーブオイルのカルシウム塩、Ｃ１７−Ｃ２０−合成脂肪酸のクロム塩のトルエン溶液、ステアリン酸クロム、クロム塩長鎖酸、オレイン酸クロム、リノール酸クロム、ナフテン酸コバルト、ナフテン酸銅、ナフテン酸ニッケル、ジエチルアミン、２−メチルピリジン、ピリジン、３−メチルピリジン、２−アミノ−５−ニトロピリジン、２，６−ジニトロ−３−クロロピリジン；ステアリルアンスラニル酸、たとえばＳｉｇｂｏｌ、ＡＳＰ−Ｉ、Ｋｅｒｏｓｔａｔ；長鎖有機酸または炭化水素側鎖により可溶とされた導電ポリアニリン誘導体；またはｎが０、１等でありＭがＬａである金属イオン含有フラーレンＣ６０＋ｎＭ、または電子移動が可能ないずれかの金属イオンなどの化合物および組成を含むことができる。
【００９１】
実施形態において、導電性誘導および／または帯電防止剤は、少なくとも１つの高分子化合物を含むことができる。実施形態において、導電性誘導および／または帯電防止剤は、窒素を含有する少なくとも１つの高分子化合物を含むことができる。実施形態において、導電性誘導および／または帯電防止剤は、少なくとも１つのポリアニリンを含むことができる。実施形態において、導電性誘導および／または帯電防止剤は、式（ＩＩＩ）によって表されるポリマー単位を含有する少なくとも１つのポリアニリンを含むことができる。
【００９２】
【数３】
2013543015.tif 000005
【００９３】
ここで０＜ｘ／ｙ＜１であり、Ｒａ、ＲｂおよびＲｃは、互いに独立して水素または炭化水素基である。また、Ｒｃは、酸素または硫黄によってフェニル環に結合される１つ以上のハロゲンおよび／または炭化水素基、たとえばアルコキシおよびアルキルチオ、ならびに同様の環式および最適な芳香基を表し得る。
【００９４】
実施形態において、炭化水素基の性質は一般に、ポリマーの親油性が潤滑流体と混合するのに十分であり、かつ潤滑流体に溶解することもできるようなものである。そのため、炭化水素置換基の各々は、１つ以上のハロゲン、（モノまたはポリ）シクロアルキル、および／またはアリール基によって任意に置換され、環式基がたとえば１つ以上のハロゲン、アルキル、（モノまたはポリ）シクロアルキル、またはアリールによってさらに置換され得る直鎖または分鎖状アルキル；（モノまたはポリ）シクロアルキル、つまり単環式もしくは多環式であり得、１つ以上のハロゲン、アルキル、（モノまたはポリ）シクロアルキル、および／またはアリール基によって任意に置換され、各アルキル基がたとえば１つ以上のハロゲン、シクロアルキル、および／またはアリール基によってさらに置換され得、環式基の各々がたとえば１つ以上のハロゲン、アルキル、（モノまたはポリ）シクロアルキルまたはアリールによってさらに置換され得るシクロアルキル；フェニル、ナフチル、およびアントラセニルなどの単環式もしくは多環式であり得、１つ以上のハロゲン、アルキル、（モノまたはポリ）シクロアルキル、またはアリール基によって任意に置換され、各アルキル基が１つ以上のハロゲン、（モノまたはポリ）シクロアルキル、および／またはアリール基によってさらに置換され得、環式基の各々がたとえば１つ以上のハロゲン、アルキル、（モノまたはポリ）シクロアルキルおよびアリールによってさらに置換され得るアリールを表し得る。
【００９５】
実施形態において、導電性誘導および／または帯電防止剤は、少なくとも１つのスルホン酸Ｒａ−ＳＯ３Ｈまたはその塩を含むことができ、Ｒａは上記の意味を有する。好適なスルホン酸は、潤滑流体に導電性を伝えることができるかまたは静電荷の蓄積を減少させることができるすべてのスルホン酸およびその塩を含むことができる。一般に、炭化水素基は、少なくとも６個、少なくとも８個、または少なくとも１０個の炭素原子を有することができる。実施形態において、スルホン酸のＲａは、アリール基とすることができるか、または少なくとも１つのアリール基を含むことができる。アリール基は、フェニル、ナフチル、アントラセニルなどのように６個〜１４個の炭素原子を有することができ、スルホン酸部分はアリール炭素原子の１つに直接結合することができるか、またはメチレン（−ＣＨ２−）ブリッジによってアリール炭素に結合することができる。さらに、アリール基は１つ〜３つのハロゲンおよび／または炭化水素置換基を保持し得る。実施形態において、アリールスルホン酸は、任意にさらにハロゲンによって置換することができるＣ６−Ｃ２０−アルキル−Ｃ６−Ｃ１４−アリールスルホン酸とすることができる。
【００９６】
そのようなアリールスルホン酸の例示的例は、フェニル環が１つ、２つまたは３つの同一のまたは異なる直鎖または分鎖状Ｃ６−Ｃ２０−アルキル基を任意に保持するフェニルスルホン酸を含む。特定の例は、直鎖または分鎖状ヘキシルフェニルスルホン酸；直鎖または分鎖状ヘプチルフェニルスルホン酸；直鎖または分鎖状オクチルフェニルスルホン酸；直鎖または分鎖状ノニル−フェニルスルホン酸；直鎖または分鎖状デシル−フェニルスルホン酸；直鎖または分鎖状ウンデシル−フェニルスルホン酸；直鎖または分鎖状ドデシル−フェニルスルホン酸；直鎖または分鎖状トリデシル−フェニルスルホン酸；直鎖または分鎖状テトラデシル−フェニルスルホン酸；直鎖または分鎖状ペンタデシル−フェニルスルホン酸；直鎖または分鎖状ヘキサデシル−フェニルスルホン酸；直鎖または分鎖状ヘプタデシル−フェニルスルホン酸；直鎖または分鎖状オクタデシル−フェニルスルホン酸；直鎖または分鎖状ノナデシル−フェニルスルホン酸；直鎖または分鎖状デカデシル−フェニルスルホン酸；直鎖または分鎖状モノまたはジヘキシル−ナフチルスルホン酸；直鎖または分鎖状モノまたはジヘプチル−ナフチルスルホン酸；直鎖または分鎖状モノまたはジオクチル−ナフチルスルホン酸；直鎖または分鎖状モノまたはジノニル−ナフチルスルホン酸；直鎖または分鎖状モノまたはジデシル−ナフチルスルホン酸；直鎖または分鎖状モノまたはジウンデシル−ナフチルスルホン酸；直鎖または分鎖状モノまたはジドデシル−ナフチルスルホン酸；直鎖または分鎖状モノまたはジトリデシル−ナフチルスルホン酸；直鎖または分鎖状モノまたはジテトラデシル−ナフチルスルホン酸；直鎖または分鎖状モノまたはジペンタデシル−ナフチルスルホン酸；直鎖または分鎖状モノまたはジヘキサデシル−ナフチルスルホン酸；直鎖または分鎖状モノまたはジヘプタデシル−ナフチルスルホン酸；直鎖または分鎖状モノまたはジオクタデシル−ナフチルスルホン酸；直鎖または分鎖状モノまたはジノナデシル−ナフチルスルホン酸；および直鎖または分鎖状モノまたはジデカデシル−ナフチルスルホン酸を含む。
【００９７】
市販の導電性誘導および／または帯電防止剤の例示的例は、ＳＴＡＴ−ＳＡＦＥ（Ｒ）２５００（灯油、オキシレン、ドデシルベンゼンスルホン酸、およびソルベントナフサの組合せを含む）、ＥＸＰＩＮＮ（Ｒ）１０（ヘプタンおよびドデシルベンゼンスルホン酸の組合せを含む）、ジノニルナフチルスルホン酸を含むＳＴＡＤＩＳ（登録商標）４５０、およびＳＴＡＤＩＳ（登録商標）４２５を含む。潤滑流体は、単一の導電性誘導および／または帯電防止剤、または同じもしくは異なる種類の２つ以上の導電性誘導および／または帯電防止剤の組合せを含み得る。
【００９８】
潤滑流体中の導電性誘導および／または静電防止剤の濃度は、広範囲に変動することができる。しかし、実施形態において、潤滑流体の全体的な粘度が影響を受けないように、濃度を低く保つことができる。実施形態において、導電性誘導および／または帯電防止剤の濃度を潤滑剤中１０〜５０００ｐｐｍとすることができ、処理された潤滑剤は５０ＭＱ未満の抵抗を有する。たとえば、潤滑流体中１０００ｐｐｍ（つまり０．１％）のアリールスルホン酸は、好適な性能を与えることが分かっている。
【００９９】
潤滑流体は一般にいずれかの所望の粘度を有することができる。実施形態において、潤滑流体は、０℃にて１５ｃｐ〜８０ｃｐの粘度を有することができる。実施形態において、潤滑流体は、０℃にて２５ｃｐ〜７０ｃｐの粘度を有することができる。実施形態において、潤滑流体は、０℃にて２５ｃｐ〜６０ｃｐの粘度を有することができる。開示される潤滑流体は、特にハードディスクインタフェース（ＨＤＩ）用途に利用されると、有利な特性を呈することができる。たとえば、開示される潤滑流体は、よりよい耐酸化性、高温環境における蒸発低減効果、またはその組合せを有することができる。これらの特性は両方とも、有害にＨＤＩ用途に不利益に影響することがある潤滑流体中の汚染物質の形成を減少させることができる。高温環境における蒸発の低減は、保管用途の流体軸受寿命を伸ばすことができる。開示される潤滑流体は、他の潤滑流体と比較すると、不利益なゲル剤の形成を遅らせることができる。潤滑流体からのゲルの形成は、軸受流体中での著しい粘性変化につながることがあり、それにより所要動力が増大し、したがって軸受不良および金属間接触による破滅的な軸受不良につながる。同様に、他の潤滑流体と比較すると、開示される潤滑流体は酸の形成を遅らせることもできる。潤滑流体からの酸の形成は、ＨＤＩ用途にとって不利益となることがある。
【実施例】
【０１００】
実施例
材料
材料を以下の供給業者から入手し、特に明記しない限り、受取った状態で使用した。オクチル化／ブチル化ジフェニルアミンＩＲＧＡＮＯＸ（登録商標）Ｌ５７、コハク酸ハーフエステルＩＲＧＡＣＯＲ（登録商標）Ｌ１２、およびトルトリアゾール誘導体ＩＲＧＡＭＥＴ（登録商標）３９をCiba Holding, AG（スイス、バーゼル)から入手した。セバシン酸ビス（２−エチルヘキシル）をNye Lubricants(マサチューセッツ州フェアヘブン)から入手した。３−メチル−１，５−ペンタンジオールジノナノアートを、３−メチル−ｌ，５−ペンタンジオール１部およびノナン酸２部（Sigma Aldrich、ミズーリ州セントルイス）を用いて合成した。混合物を既知の手順を使用して洗浄し、精製した。Ｒｅｏｆｏｓ（登録商標）−ＲＤＰとして市販されているテトラフェニルレゾルシノール二リン酸塩をChemutura Corporation（インディアナ州ウェストラファイエット）から入手した。ブチル化リン酸トリアリール添加剤、Ｓｙｎ−Ｏ−Ａｄ（登録商標）８４７８をICL Industrial Products（ミズーリ州セントルイス）から入手した。カルボジイミドＡＤＤＩＴＩＮ（登録商標）ＲＣ８５００、およびモノマーカルボジイミドＳＴＡＢＡＸＯＬ（登録商標）１ＬＦをRhein Chemie Rheinau GmbH（ドイツ連邦共和国マンハイム）から入手した。
【０１０１】
以下の表１に示される成分および量（量はすべて重量パーセントで示す）を有する比較組成（ＣＣ１〜ＣＣ３）および実験組成Ｃ１〜Ｃ４を配合した。
【０１０２】
【表１】
2013543015.tif 000006
【０１０３】
実施例１
比較組成１〜３および組成１〜４の試料を１１日間９５℃および相対湿度７４％で維持した。１１日後、ＧＣ−ＭＳを使用して組成の加水分解を測定した。基油の加水分解は、組成中の基油のモノエステルを定量化することによって判定した。表２は、加水分解の百分率（または１１日後にモノエステルとして現れた当初の基油量の百分率）を示す。
【０１０４】
比較組成１〜３および組成１〜４の試料をさらに１４日間（計２５日間）９５℃および相対湿度７４％で維持し、組成の物理的状態に注目した。組成の物理的状態を以下の表２に表す。
【０１０５】
【表２】
2013543015.tif 000007
【０１０６】
実施例２
比較組成３（ＣＣ３）および組成１（Ｃ１）の試料を、時間量を変動させるために、８５℃、相対湿度５５％、８５％、および９５％でも維持した。残りの基油の量および生じたモノエステルの量を観察することによって、４日〜４０日の間の様々な時間間隔で試料の加水分解を（上記のＧＣ−ＭＳを使用して）観察した。結果を図４Ａ（残りの基油）および図４Ｂ（生じたモノエステル）に示す。
【０１０７】
図４Ａおよび図４Ｂから分かるように、組成１は、様々な相対湿度において比較組成３の約２倍長く安定していた（実質的に加水分解を示さなかった）。
【０１０８】
実施例２
組成１と同じであったが０．５％のカルボジイミド化合物ＳＴＡＢＡＸＯＬ（登録商標）１ＬＦ（およびしたがって９８．４％でなく９７．９％セバシン酸ビス（２−エチルヘキシル））を含む組成４の加水分解を組成１と比較した。
【０１０９】
組成１および組成４の試料を、３３日間８５℃および相対湿度９５％でも維持した。６日〜３３日の間の様々な時間間隔で試料の加水分解を（上記のＧＣ−ＭＳを使用して）観察した。結果を図５に示す。
【０１１０】
図５から分かるように、組成４は組成１よりも約５０％長く（約１９日対３１日）安定していた（実質的に加水分解を示さなかった）。
【０１１１】
このようにして、潤滑剤を備えた流体軸受を有する流体力学的ディスクドライブスピンドルモータの実施形態が開示される。当業者は、開示された以外の実施形態で本開示を実行することができることを認識するであろう。開示された実施形態は、限定ではなく例示の目的で示され、本開示は添付の請求項によってのみ限定される。
【図１】
2013543015.tif 000010
【図２】
2013543015.tif 000011
【図３】
2013543015.tif 000012
【図４Ａ】
2013543015.tif 000013
【図４Ｂ】
2013543015.tif 000014
【図５】
2013543015.tif 000015
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
スピンドルモータであって、
静止部材と、
静止部材に対して回転可能な回転可能部材と、
静止部材および回転可能部材を相互接続させ、潤滑流体によって離間される加工面を有する流体軸受とを備え、潤滑流体は、
ａ）少なくとも粘度指数１１０を有する合成エステルベース流体と、
ｂ）潤滑流体の総重量に基づいて０．０１重量％〜５重量％の少なくとも１つのトリＣ６−Ｃ１４−リン酸アリールとを含み、アリール基の各々はＣ３−Ｃ６−アルキル基から選択される１つ〜３つの同一または異なる置換基を有し、さらに、
ｃ）潤滑流体の総重量に基づいて０．０１重量％〜５重量％の少なくとも１つのカルボジイミドを含む、スピンドルモータ。
【請求項２】
合成エステルベース流体は、
式Ｉの化合物を含み、
【数１】
2013543015.tif 000016
ここでＲ１およびＲ２は同一であるかまたは異なり、鎖の第二炭素に結合したＣ１−Ｃ３−アルキルを任意に保持する直鎖Ｃ３−Ｃ１７−アルキル基を各々が表し、Ｚは、鎖の炭素に結合したＣ１−Ｃ３−アルキルを任意に保持する直鎖Ｃ３−Ｃ１０−アルキレン基であり、さらに、
式Ｉａの化合物を含み、
【数２】
2013543015.tif 000017
ここでＲ１およびＲ２は同一であるかまたは異なり、鎖の第二炭素に結合したＣ１−Ｃ３−アルキルを任意に保持する直鎖Ｃ３−Ｃ１７−アルキル基を各々が表し、Ｚは、鎖の炭素に結合したＣ１−Ｃ３−アルキルを任意に保持する直鎖Ｃ３−Ｃ１０−アルキレン基であり、
またはそれらの組合せを含む、請求項１に記載のスピンドルモータ。
【請求項３】
カルボジイミドは、ジ−アリール−カルボジイミドである、請求項１または２のいずれか１項に記載のスピンドルモータ。
【請求項４】
潤滑流体は、０℃において１５ｃｐ〜８０ｃｐの粘度を有する、請求項１または２のいずれか１項に記載のスピンドルモータ。
【請求項５】
潤滑流体は、酸化防止剤、腐食防止剤、粘度指数調整剤、流動点降下剤、消泡剤、および導電性の非金属添加物からなるグループから選択される添加剤をさらに含む、請求項１または２のいずれか１項に記載のスピンドルモータ。
【請求項６】
潤滑流体は、潤滑流体の総重量に基づいて０．０１重量％〜５重量％の少なくとも１つの酸化防止剤を含む、請求項１または２のいずれか１項に記載のスピンドルモータ。
【請求項７】
潤滑流体は、潤滑流体の総重量に基づいて０．０１重量％〜５重量％の少なくとも１つの腐食防止剤を含む、請求項１または２のいずれか１項に記載のスピンドルモータ。
【請求項８】
潤滑流体は、潤滑流体の総重量に基づいて０．０１重量％〜５重量％の少なくとも１つの粘度指数調整剤を含む、請求項１または２のいずれか１項に記載のスピンドルモータ。
【請求項９】
潤滑流体は、潤滑流体の総重量に基づいて０．０１重量％〜５重量％の少なくとも１つの流動点降下剤を含む、請求項１または２のいずれか１項に記載のスピンドルモータ。
【請求項１０】
潤滑流体は、潤滑流体の総重量に基づいて０．０１重量％〜５重量％の少なくとも１つの消泡剤を含む、請求項１または２のいずれか１項に記載のスピンドルモータ。
【請求項１１】
潤滑流体は、さらにポリアルファオレフィンベース流体を含む、請求項１または２のいずれか１項に記載のスピンドルモータ。
【請求項１２】
合成エステルベース流体は、３−メチル−１，５−ペンタンジオール  ジ（ｎ−ヘキサノアート、３−メチル−１，５−ペンタン−ジオール  ジ（ｎ−ヘプタノアート）、３−メチル−１，５−ペンタンジオール  ジ（ｎ−オクタノアート）、３−メチル−１，５−ペンタンジオール  ジ（ｎ−ノナノアート）、および３−メチル−１，５−ペンタンジオール  ジ（ｎ−デカノアート）、３−メチル−１，５−ペンタンジオール  ジ（ｎ−ウンデカノアート）、３−メチル−１，５−ペンタンジオール  ジ（ｎ−ドデカン酸）、および３−メチル−１，５−ペンタンジオール  ジ（ｎ−トリデカノアート）、またはそれらの組合せを含む、請求項１または２のいずれか１項に記載のスピンドルモータ。
【請求項１３】
トリ−Ｃ６−Ｃ１４−リン酸アリールは、少なくとも１つのブチル化リン酸トリフェニルを含む、請求項１または２のいずれか１項に記載のスピンドルモータ。
【請求項１４】
少なくとも１つのブチル化リン酸トリフェニルは、総量で潤滑流体の０．１重量％〜４重量％存在する、請求項１または２のいずれか１項に記載のスピンドルモータ。
【請求項１５】
カルボジイミドは、総量で潤滑流体の０．１重量％〜３重量％存在する、請求項１または２のいずれか１項に記載のスピンドルモータ。
【請求項１６】
カルボジイミドは式（ＩＩ）の化合物から選択され、
Ｘ−Ｎ＝Ｃ＝Ｎ−Ｙ                 （ＩＩ）
ＸおよびＹは同一かまたは異なり、各々は、脂肪族基、脂環式基および芳香基であり得るかまたは含み得るＣ１−Ｃ２０−炭化水素残基を表す、請求項１または２のいずれか１項に記載のスピンドルモータ。
【請求項１７】
液体のリン酸アミン耐摩耗性添加剤をさらに備える、請求項１または２のいずれか１項に記載のスピンドルモータ。
【請求項１８】
潤滑流体であって、
ａ）少なくとも粘度指数１１０を有する合成エステルベース流体と、
ｂ）潤滑流体の総重量に基づいて０．０１重量％〜５重量％の少なくとも１つのトリ−Ｃ６−Ｃ１４−リン酸アリールとを備え、アリール基の各々はＣ３−Ｃ６−アルキル基から選択される１つ〜３つの同一のまたは異なる置換基を有し、さらに、
ｃ）潤滑流体の総重量に基づいて０．０１重量％〜５重量％の少なくとも１つのカルボジイミドを備える、潤滑流体。
【国際調査報告】
2013543015.tif 000018
2013543015.tif 000019
2013543015.tif 000020